(57)【要約】【課題】ＥＬ層の構造が制限されない発光装置の作製方法を提供することを目的とする。また、発光装置の作製において、材料の利用効率を高めることを目的とする。また、コストを低減することを目的とする。【解決手段】透光性を有し、かつ、第１面に光吸収層が形成されている第１の基板を用い、有機化合物と無機物とを含む混合物に、無機物が吸収する波長の光を照射することで混合物を加熱し、混合物に含まれる有機化合物を第１の基板の第１面に成膜し、第１の基板の第１面と、第２の基板の被成膜面とを近接、または接して配置し、第１の基板の第１面の裏面側から、光吸収層が吸収する波長の光を照射し、光吸収層に接している有機化合物を加熱し、有機化合物の少なくとも一部を第２の基板の被成膜面上に成膜する。【選択図】図１
2010062143.tif 000002
【特許請求の範囲】
【請求項１】
透光性を有し、かつ、第１面に光吸収層が形成されている第１の基板を用い、
有機化合物と無機物とを含む混合物に、前記無機物が吸収する波長の光を照射することで前記混合物を加熱し、前記混合物に含まれる前記有機化合物を第１の基板の第１面に成膜し、
前記第１の基板の第１面と、第２の基板の被成膜面とを近接、または接して配置し、
前記第１の基板の第１面の裏面側から、前記光吸収層が吸収する波長の光を照射し、前記光吸収層に接している前記有機化合物を加熱し、前記有機化合物の少なくとも一部を前記第２の基板の被成膜面上に成膜することを特徴とする発光装置の作製方法。
【請求項２】
透光性を有し、かつ、第１面に光吸収層が形成されている第１の基板と、第１の面に第１の電極が形成されている第２の基板とを用い、
有機化合物と無機物とを含む混合物に、前記無機物が吸収する波長の光を照射することで前記混合物を加熱し、前記混合物に含まれる前記有機化合物を第１の基板の第１面に成膜し、
前記第１の基板の第１面と前記第２の基板の第１面とを近接、または接して配置し、
前記第１の基板の第１面の裏面側から、前記光吸収層が吸収する波長の光を照射し、前記光吸収層に接している前記有機化合物を加熱し、前記有機化合物の少なくとも一部を前記第２の基板の第１面上に成膜し、
前記第２の基板の第１面上に成膜された前記有機化合物上に第２の電極を形成することを特徴とする発光装置の作製方法。
【請求項３】
請求項１または２において、
前記第１の基板と光吸収層との間には、開口部を有する反射層が形成されていることを特徴とする発光装置の作製方法。
【請求項４】
請求項３において、
前記反射層は、前記第１の基板に照射される光に対する反射率が８５％以上であることを特徴とする発光装置の作製方法。
【請求項５】
請求項３または請求項４において、
前記反射層は、アルミニウム、銀、金、白金、銅、アルミニウムを含む合金、銀を含む合金のいずれか一を含むことを特徴とする発光装置の作製方法。
【請求項６】
請求項３乃至請求項５のいずれか一項において、
前記第１の基板は、前記反射層と前記光吸収層との間に、緩和層を有することを特徴とする発光装置の作製方法。
【請求項７】
請求項６において、
前記緩和層は前記第１の基板に照射される光に対する透過率は６０％以上であり、かつ前記緩和層に用いる材料の熱伝導率は、前記反射層および前記光吸収層に用いる材料の熱伝導率よりも小さいことを特徴とする発光装置の作製方法。
【請求項８】
請求項６または請求項７において、
前記緩和層は、酸化チタン、酸化珪素、窒化酸化珪素、酸化ジルコニウム、炭化珪素のいずれか一を含むことを特徴とする発光装置の作製方法。
【請求項９】
請求項６乃至請求項８のいずれか一項において、
前記緩和層の膜厚は、１０ｎｍ以上２μｍ以下であることを特徴とする発光装置の作製方法。
【請求項１０】
請求項１乃至請求項９のいずれか一において、
前記光吸収層は、前記第１の基板に照射される光に対する反射率が７０％以下であることを特徴とする発光装置の作製方法。
【請求項１１】
請求項１乃至請求項１０のいずれか一において、
前記光吸収層は、金属窒化物、金属、カーボンのいずれか一を含むことを特徴とする発光装置の作製方法。
【請求項１２】
請求項１乃至請求項１１のいずれか一において、
前記光吸収層の膜厚は、１０ｎｍ以上６００ｎｍ以下であることを特徴とする発光装置の作製方法。
【請求項１３】
請求項１乃至請求項１２のいずれか一において、
前記第１の基板に照射される光は、レーザ光もしくはランプ光であることを特徴とする発光装置の作製方法。
【請求項１４】
請求項１乃至請求項１５のいずれか一において、
前記有機化合物は発光材料であることを特徴とする発光装置の作製方法。
【請求項１５】
請求項１乃至請求項１６のいずれか一において、
前記無機物は金属窒化物、金属、カーボンのいずれか一であることを特徴とする発光装置の作製方法。
【発明の詳細な説明】
【技術分野】
【０００１】
本発明は、発光装置の作製方法に関する。
【背景技術】
【０００２】
有機化合物は無機化合物に比べて、多様な構造をとることができ、適切な分子設計により様々な機能を有する材料を合成できる可能性がある。これらの利点から、近年、機能性有機材料を用いたエレクトロニクスに注目が集まっている。
【０００３】
例えば、有機化合物を機能性材料として用いたエレクトロニクスデバイスの例として、太陽電池や発光素子、有機トランジスタ等が挙げられる。これらは有機化合物の電気物性および光物性を利用したデバイスである。
【０００４】
特に、有機化合物を発光材料として用いた発光素子は、薄型軽量、高速応答性、直流低電圧駆動などの特徴を有するため、次世代のフラットパネルディスプレイへの応用が期待されている。このような発光素子をマトリクス状に配置した表示装置は、従来の液晶表示装置と比較して、視野角が広く視認性が優れる点に優位性があると考えられている。
【０００５】
発光素子の発光機構は、一対の電極間にＥＬ層を挟んで電圧を印加することにより、陰極から注入された電子および陽極から注入された正孔がＥＬ層の発光中心で再結合して分子励起子を形成し、その分子励起子が基底状態に緩和する際にエネルギーを放出して発光するといわれている。励起状態には一重項励起と三重項励起が知られ、発光はどちらの励起状態を経ても可能であると考えられている。
【０００６】
発光素子を構成するＥＬ層は、少なくとも発光層を有する。また、ＥＬ層は、発光層の他に、正孔注入層、正孔輸送層、電子輸送層、電子注入層などを有する積層構造とすることもできる。
【０００７】
ＥＬ層を形成するＥＬ材料は低分子系（モノマー系）材料と高分子系（ポリマー系）材料に大別される。一般に、低分子系材料は蒸着法を用いて成膜され、高分子系材料はインクジェット法やスピンコート法などを用いて成膜されることが多い。
【０００８】
蒸着法を用いて、赤、緑、青の発光素子を用いてフルカラーの表示装置を作製する場合、基板と蒸発源との間に、基板と接してシャドーマスクが設置され、このマスクを介して塗り分けが実現される。
【０００９】
しかしながら、フルカラーの表示装置を作製するために用いるシャドーマスクは、開口部を精密に作製する必要があるため、板厚が非常に薄く作られている。よって、基板の大型化に伴うシャドーマスクの大型化では、シャドーマスクの撓みによって、開口部の大きさが変化するなどの問題が生じる。このシャドーマスクの画素部に対応する領域は非常に微細なパターンが形成されており、補強手段を導入することも困難とされている。
【００１０】
また、表示装置の高精細化（画素数の増大）に伴う各表示画素ピッチの微細化への要望はより高まっており、さらにシャドーマスクが薄くなる傾向にある。
【００１１】
一方、被成膜基板に直接ＥＬ層をインクジェット法やスピンコート法などの湿式法より成膜する方法は、基板が大型化した場合にも対応が可能であるが、均一な膜厚を形成することが困難である。また、湿式法を用いる場合には、ＥＬ材料を含む組成物または溶液を塗布した後、焼成し溶媒を除去する必要がある。よって、ＥＬ材料を含む層を積層する場合には、塗布する工程と焼成する工程を繰り返す必要があり、多くの時間を要する。また、インクジェット法などの湿式法を用いて積層する場合、既に形成されている層が溶解しない溶媒を用いて成膜しなければならず、用いる材料の選択肢や積層構造の選択肢が限られてしまう。用いる材料の選択肢や積層構造の選択肢が限られてしまうと、発光素子の性能（発光効率や寿命など）が大きく制限されてしまう。よって、優れた構成の発光素子であっても発光装置に応用できないなど、発光装置の性能の向上にとって大きな障害となってしまう。
【発明の概要】
【発明が解決しようとする課題】
【００１２】
よって、本発明の一態様は、ＥＬ層の構造が制限されない発光装置の作製方法を提供することを目的とする。また、発光装置の作製において、材料の利用効率を高めることを目的とする。また、発光装置の作製において、コストを低減することを目的とする。
【課題を解決するための手段】
【００１３】
本発明の一態様は、第１の基板に形成した有機化合物に対して光照射を行い、第２の基板に成膜することを特徴とする発光装置の作製方法である。第１面に光吸収層が形成された透光性を有する第１の基板を用い、有機化合物と無機物とを含む混合物に、無機物が吸収する波長の光を照射することで混合物を加熱し、混合物に含まれる有機化合物を、第１の基板の第１面に成膜する。そして、第１の基板の第１面と、第２の基板の被成膜面とを近接、または接して配置し、第１の基板の第１面の裏面側から、光吸収層が吸収する波長の光を照射し、光吸収層に接している有機化合物を加熱し、有機化合物の少なくとも一部を第２の基板の被成膜面上に成膜することを特徴とする。
【００１４】
また、本発明の一態様は、第１の基板に形成した有機化合物に対して光照射を行い、電極が形成されている第２の基板に成膜することを特徴とする発光装置の作製方法である。第１面に光吸収層が形成された透光性を有する第１の基板を用い、有機化合物と無機物とを含む混合物に、無機物が吸収する波長の光を照射することで混合物を加熱し、混合物に含まれる有機化合物を、第１の基板の第１面に成膜する。第１の基板の第１面と第２の基板の第１面とを近接、または接して配置し、第１の基板の第１面の裏面側から、光吸収層が吸収する波長の光を照射し、光吸収層に接している有機化合物を加熱し、有機化合物の少なくとも一部を第２の基板の第１面上に成膜し、第２の基板の第１面上に成膜された該有機化合物上に第２の電極を形成することを特徴とする。
【００１５】
上記構成において、第１の基板と光吸収層との間には、開口部を有する反射層が形成されていても良い。反射層を設けることにより、第１の基板に照射した光を遮光し、開口部に照射された光のみを成膜に用いることができる。また、反射層を設けることで、材料層を通して光が被成膜基板に照射されることを抑制することができる。反射層は、第１の基板に照射される光に対する反射率が８５％以上であることが好ましい。反射層を構成する材料としては、アルミニウム、銀、金、白金、銅、アルミニウムを含む合金、銀を含む合金などが挙げられる。
【００１６】
また、上記構成において、反射層と光吸収層との間に、熱の伝導を緩和する緩和層を有していてもよい。緩和層を設けることにより、成膜パターンの輪郭の乱れを抑制することができる。緩和層の照射する光に対する透過率は６０％以上であり、かつ緩和層に用いる材料の熱伝導率は、反射層および光吸収層に用いる材料の熱伝導率よりも小さいことが好ましい。また、緩和層を構成する材料としては、酸化チタン、酸化珪素、窒化酸化珪素、酸化ジルコニウム、炭化珪素などが挙げられる。また、緩和層の膜厚は、１０ｎｍ以上２μｍ以下であることが好ましい。
【００１７】
また、上記構成において、光吸収層は、照射される光に対する反射率が７０％以下であることが好ましい。また、光吸収層の膜厚は、１０ｎｍ以上６００ｎｍ以下であることが好ましい。光吸収層を構成する材料としては、金属窒化物、金属、カーボンなどが挙げられる。
【００１８】
また、上記構成において、第１の基板に照射される光は、レーザ光もしくはランプ光であることが好ましい。
【００１９】
また、上記構成において、有機化合物は発光材料であることが好ましい。
【００２０】
また、上記構成において、無機物は、金属窒化物、金属、カーボンなどであることが好ましい。特に、有機化合物と均一に混ざりやすいグラファイトやカーボンナノチューブのようなカーボン材料が好ましい。
【００２１】
なお、本明細書中における発光装置とは、画像表示デバイス、発光デバイス、もしくは光源（照明装置含む）を指す。また、発光装置にコネクター、例えばＦＰＣ（Ｆｌｅｘｉｂｌｅ  ｐｒｉｎｔｅｄ  ｃｉｒｃｕｉｔｓ）もしくはＴＡＢ（Ｔａｐｅ  Ａｕｔｏｍａｔｅｄ  Ｂｏｎｄｉｎｇ）テープもしくはＴＣＰ（Ｔａｐｅ  Ｃａｒｒｉｅｒ  Ｐａｃｋａｇｅ）が取り付けられたモジュール、ＴＡＢテープやＴＣＰの先にプリント配線板が設けられたモジュール、または発光素子にＣＯＧ（Ｃｈｉｐ  Ｏｎ  Ｇｌａｓｓ）方式によりＩＣ（集積回路）が直接実装されたモジュールも全て発光装置に含むものとする。
【発明の効果】
【００２２】
本発明の一態様を適用することにより、ＥＬ層の構造が制限されない発光装置を作製することができる。また、発光装置の作製において、材料の利用効率を高めることができる。また、発光装置の作製において、コストを低減することができる。
【図面の簡単な説明】
【００２３】
【図１】本発明の一態様に係る成膜装置を説明する図。
【図２】本発明の一態様に係る成膜装置を説明する図。
【図３】本発明の一態様に係る成膜装置を説明する図。
【図４】本発明の一態様に係る成膜装置を説明する図。
【図５】本発明の一態様に係る成膜装置を説明する図。
【図６】本発明の一態様に係る成膜用基板を説明する図。
【図７】本発明の一態様に係る成膜用基板を説明する図。
【図８】本発明の一態様に係る発光装置の製造方法を説明する図。
【図９】本発明の一態様に係る発光装置の製造方法を説明する図。
【図１０】本発明の一態様に係る発光装置の製造方法を説明する図。
【図１１】本発明の一態様に係る発光装置の製造方法を説明する図。
【図１２】本発明の一態様に係る発光装置の製造方法を説明する図。
【図１３】本発明の一態様に係る発光装置の製造方法を説明する図。
【図１４】本発明の一態様に係る発光装置の製造方法を説明する図。
【図１５】本発明の一態様に係る発光装置の製造方法を説明する図。
【図１６】本発明の一態様に係る成膜装置について説明する図。
【図１７】本発明の一態様に係る成膜装置について説明する図。
【図１８】本発明の一態様に係る成膜装置について説明する図。
【図１９】発光素子について説明する図。
【図２０】パッシブマトリクス型の発光装置を示す図。
【図２１】パッシブマトリクス型の発光装置を示す図。
【図２２】アクティブマトリクス型の発光装置を示す図。
【図２３】電子機器を示す図。
【図２４】電子機器を示す図。
【発明を実施するための形態】
【００２４】
以下、本発明の実施の態様について図面を用いて詳細に説明する。但し、本発明は以下の説明に限定されず、本発明の趣旨及びその範囲から逸脱することなくその形態及び詳細を様々に変更し得ることが可能である。従って、本発明は以下に示す実施の形態の記載内容に限定して解釈されるものではない。なお、以下に説明する本発明の構成において、同じものを指す符号は異なる図面間で共通して用いる場合がある。
【００２５】
（実施の形態１）
本実施の形態では、本発明の一態様である発光装置の作製方法について説明する。本発明の一態様である発光装置の作製方法は、まず成膜用基板を作製する。そして、該成膜用基板を用いて発光装置を作製する。本実施の形態では、成膜用基板の作製方法を説明する。なお、本明細書では、被成膜基板に成膜を行うために用いる基板を成膜用基板と記す。本発明の一態様に係る成膜用基板は、被成膜基板に所望の材料を含む層と、該材料を含む層を加熱するための層が設けている。
【００２６】
まず、第１の基板１０１を用意する。第１の基板は、照射される光の透過率が高い基板であることが好ましい。また、熱伝導率が低い材料であることが好ましい。第１の基板としては、例えば、ガラス基板、石英基板などを用いることができる。ガラス基板や石英基板などは、フィルム基板などよりも不純物（水分など）が吸着または付着しにくい。よって、成膜する際に不純物の混入を防ぐことができる。
【００２７】
そして、第１の基板上に光吸収層を形成する。被成膜基板上の成膜が必要な領域に対応するように、光吸収層をパターン形成する。もしくは、被成膜基板上の成膜が必要な領域に対応するように、第１の基板と光吸収層との間に反射層をパターン形成する。
【００２８】
そして、少なくとも光吸収層が設けられた第１の基板上に、有機化合物と無機物を含む混合物を用いて、被成膜基板に所望の材料を含む材料層を形成する。
【００２９】
図６に、本発明の一態様に係る成膜用基板を例示する。図６（Ａ）は、光吸収層１０４をパターン形成し、光吸収層１０４上に材料層１０５を形成した成膜用基板である。図６（Ｂ）は、光吸収層１０４と第１の基板１０１との間に、反射層１０２を設け、光吸収層１０４上に材料層１０５を形成した成膜用基板である。成膜用基板は、少なくとも光吸収層と材料層を有していればよく、さらに他の機能を示す層を有していてもよい。例えば、図６（Ｃ）に示すように、反射層１０２と光吸収層１０４との間に、緩和層１０３を設けてもよい。
【００３０】
混合物に含まれる無機物は微小な粒子状であることが好ましい。また、無機物は、混合物中に均一に含まれていることが好ましい。このような混合物に光を照射することにより、無機物が光を吸収し発熱する。その熱が、無機物のまわりに存在する有機化合物に伝わり、有機化合物が加熱され、気化して、第１の基板１０１上に堆積される。
【００３１】
混合物は、有機化合物と無機物とを含む。無機物は、照射された光を吸収し熱に変換するため、照射された光に対して吸収率が高い材料であることが好ましい。例えば、金属窒化物、金属、カーボンなどであることが好ましい。特に、有機化合物と均一に混ざりやすいグラファイトやカーボンナノチューブのようなカーボン材料が好ましい。
【００３２】
また、有機化合物に均一に熱を伝えるため、無機物は、混合物中に均一に分散していることが好ましい。また、熱の伝導を効率良く行うため、無機物は微小な粒子状であることが好ましい。例えば、ナノ粒子と呼ばれる１ｎｍ乃至１００ｎｍ程度の粒子を用いることが好ましい。
【００３３】
混合物に含まれる有機化合物としては、種々の材料を用いることができる。低分子化合物であることが好ましく、例えば、発光素子に適用される発光材料、キャリア輸送材料などを用いることができる。また、混合物に含まれる無機物を効率良く発熱させるため、有機化合物は照射される光を吸収しないことが好ましい。
【００３４】
混合物は、有機化合物と無機物とを混合することによって作製することができる。例えば、有機化合物と無機物とを押し固めてペレットとしてもよい。また、有機化合物と無機物とを混合し、加熱して有機化合物を溶解させ、ガラス状の有機化合物中に無機物が分散している状態としてもよい。このようにガラス状とすることにより、有機化合物による光の散乱を低減することができるため、混合物に照射した光を効率良く無機物が吸収することができる。
【００３５】
混合物に照射する光は、混合物に含まれる無機物が吸収する波長の光であることが好ましい。また、混合物に含まれる有機化合物が光により分解することを防止するため、照射する光は、可視光、もしくは、可視光よりも長波長の光であることが好ましい。
【００３６】
また、照射する光の光源としては、レーザ、ランプなど種々の光源を用いることが好ましい。照射する光として、レーザ光を用いた場合は、集光位置で照射する深さを調整できる。また、ランプ光を用いた場合は、レーザ光に比べ一度に広範囲を照射することができるため、タクトタイムを短くすることができる。
【００３７】
なお、照射する光の強度や面積、照射時間によって、成膜する膜厚を制御するため、短時間の光の照射が可能なレーザやフラッシュランプを用いることが好ましい。
【００３８】
例えば、レーザ光としては、Ａｒレーザ、Ｋｒレーザ、エキシマレーザなどの気体レーザ、単結晶のＹＡＧ、ＹＶＯ４、フォルステライト（Ｍｇ２ＳｉＯ４）、ＹＡｌＯ３、ＧｄＶＯ４、若しくは多結晶（セラミック）のＹＡＧ、Ｙ２Ｏ３、ＹＶＯ４、ＹＡｌＯ３、ＧｄＶＯ４に、ドーパントとしてＮｄ、Ｙｂ、Ｃｒ、Ｔｉ、Ｈｏ、Ｅｒ、Ｔｍ、Ｔａのうち１種または複数種添加されているものを媒質とするレーザ、ガラスレーザ、ルビーレーザ、アレキサンドライトレーザ、Ｔｉ：サファイアレーザ、ファイバーレーザ等の固体レーザのうち一種または複数種から発振されるものを用いることができる。また、上記固体レーザから発振される第２高調波や第３高調波、さらに高次の高調波を用いることもできる。なお、レーザ媒体が固体である固体レーザを用いると、メンテナンスフリーの状態を長く保てるという利点や、出力が比較的に安定している利点を有している。また、レーザ光は、パルス発振であっても連続発振であってもよい。
【００３９】
また、レーザ光以外の光源としては、フラッシュランプ（キセノンフラッシュランプ、クリプトンフラッシュランプなど）、キセノンランプ、メタルハライドランプのような放電灯、ハロゲンランプ、タングステンランプのような発熱灯を用いることができる。特に、フラッシュランプは短時間（０．１ミリ秒乃至１０ミリ秒）で非常に強度の高い光を繰り返し、大面積に照射することができるため、混合物を大面積化した場合に、タクトタイムを短くすることができる。また、フラッシュランプは寿命が長く、発光待機時の消費電力が低いため、ランニングコストを低く抑えることができる。
【００４０】
また、成膜は減圧雰囲気で行われることが好ましい。減圧雰囲気は、成膜室内を真空排気手段により真空度が５×１０−３Ｐａ以下、好ましくは１０−４Ｐａ乃至１０−６Ｐａ程度の範囲になるように真空排気することで得られる。
【００４１】
本発明の一態様に係る成膜用基板の作製に用いる成膜装置の一態様について図１、図２に示す。図１は成膜装置の構成を説明する側面図、図２は同平面図である。図１に示す成膜装置は、真空排気系に接続される成膜室１０を備えている。成膜室１０には、基板ステージ１２、混合物１５が充填されている蒸発源１６、真空排気系に接続する排気口１８が備えられている。
【００４２】
基板ステージ１２には第１の基板１０１が固定されるが、それを固定する保持手段が付加されていてもよい。保持手段は、第１の基板１０１を固定する基板チャック３１などで構成される。すなわち保持手段は、第１の基板１０１の一表面若しくは少なくともその一部を蒸発源に対して露出させ保持するように構成されている。基板チャック３１は先端のツメにより、第１の基板１０１の端部を機械的に保持するものである。保持手段の他の構成としては、電磁的作用により第１の基板１０１を保持するものを適用してもよい。
【００４３】
基板ステージ１２の保持手段により、薄膜を堆積する第１の基板１０１は、蒸発源１６と対向して平行に配置される。なお、蒸発源１６が点蒸発源（ポイントソース）である場合、材料層１０５を均一性良く成膜するために、第１の基板１０１を回転させる機構を設けてもよい。
【００４４】
成膜室１０には、蒸発源１６に充填された混合物１５に光源２２からの光を照射するため、光導入窓１４が備えられている。光源２２は、混合物に含まれる無機物が吸収する波長の光を照射できればよく、レーザ光源やランプ光源など種々の光源を用いることができる。図１では、光源２２としてレーザ光源を用いている。レーザ光源を用いた場合、集光位置で照射する深さを調整することができる。
【００４５】
光源２２からの光を混合物１５に照射することにより、混合物１５に含まれる無機物が光を吸収して発熱し、無機物のまわりに存在する有機化合物が加熱され、加熱された有機化合物が気化して、第１の基板１０１の表面に堆積される。このように光の照射により短時間で混合物を加熱するので、混合物からの熱が第１の基板１０１に伝わることを抑制することができる。よって、蒸発源と第１の基板との距離を短くすることができ、材料利用効率を向上させることができる。
【００４６】
また、従来の抵抗加熱による蒸着法のように、予備的な加熱をして蒸着レートを安定させる必要がなく、照射する光の強度や面積、照射時間などによって、堆積させる有機化合物の量を調整することができる。よって、成膜に要する時間の短縮を図ることができる。また、蒸着レートが安定するまでに使用していた蒸着材料が不要となるので、さらに材料利用効率を向上させることができる。
【００４７】
また、図１において光導入窓１４と同等なものを複数個成膜室１０に設け、複数本のレーザビームを導入して成膜を行うようにすることもできる。
【００４８】
蒸発源１６は、混合物を保持している。蒸発源１６は、耐熱性の高い材料で形成されていることが好ましく、例えば、Ｔｉなどの金属やセラミックスなどを用いて形成されている。
【００４９】
また、蒸発源１６は図１に示す構成に限られず、蒸発源１６を複数個設けてもよい。または、混合物を充填するセルを複数備えた蒸発源１６を用いてもよい。これにより、複数の混合物を用いて共蒸着することができる。
【００５０】
また、第１の基板１０１に生産性良く材料層１０５を形成するために第１の基板１０１若しくは蒸発源１６、または第１の基板１０１と蒸発源１６の双方を移動可能に配置して、例えばラスタースキャンをするように成膜を行ってもよい。このような構成にすることで、フラットパネルディスプレイのマザーガラスとして、第６世代の１５００ｍｍ×１８００ｍｍ、第７世代の１８７０ｍｍ×２２００ｍｍ、第８世代の２１６０ｍｍ×２４００ｍｍの外寸を持つガラス基板を用いた場合でも容易に成膜を行うことができる。
【００５１】
また、図１の成膜装置において、例えば、蒸発源１６を一方向に長い（例えば、図１の紙面垂直方向に長い）直方体状とすることもできる。一方向に長い蒸発源１６上に充填された混合物１５に光を照射させながら蒸発源１６を基板に対して相対的に移動させることにより、基板を走査しながら成膜することができるため、上記のような大型基板への成膜をスループットよく行うことができる。
【００５２】
図１の成膜装置では、レーザビームを導入する光導入窓１４を、成膜室１０の側面に設けている。光導入窓を設ける箇所は側面に限定されるものではなく、レーザビームが蒸発源に充填されている混合物に照射できればよい。例えば、レーザビームを基板の裏面（材料層が成膜される面と反対側の面）から入射し、基板を通過させて、蒸発源に収められた混合物に照射することもできる。このような成膜方法を行うための成膜装置を図３、図４を用いて説明する。
【００５３】
図３は成膜装置の構成を説明する側面図、図４は同平面図である。また、図１の成膜装置と同じ要素を指すものについては同じ符号を用い、その場合における繰り返しの説明は省略するものもある。
【００５４】
光源２２から放射される光は光学系を介して、混合物に照射することができる。光学系の機能としては、照射面での光のエネルギー分布を均一にするものが好ましい。また、照射面での光の形状を所望の形状にするために光学系を用いることができる。例えば、図３、図４に示す光学系２３を用いることができる。
【００５５】
図３及び図４に示すように、成膜室１０には、真空排気系に接続する排気口１８が設けられている。成膜室１０の上面には、光源２２から発したレーザ光を成膜室１０内に導入するための光導入窓１４が設けられている。
【００５６】
第１の基板１０１は、保持手段により水平状態を保って保持され、蒸発源１６と対向して平行に配置される。
【００５７】
成膜室１０内には、一方向（図３の紙面垂直方向）に長い直方体状の蒸発源１６が設けられている。図４に示すように、蒸発源１６には、混合物１５を充填するセルが直線状に配列されて複数用意され、線状の蒸発源を構成している。また、成膜室１０内には、蒸発源１６を移動させる移動機構を備えている。移動機構により、蒸発源１６を移動させると同時に、追随して混合物１５に光を照射することにより、複数の混合物１５を加熱させながら第１の基板１０１の表面に成膜することができる。
【００５８】
図４に示すように、蒸発源１６の長手方向の長さが第１の基板１０１の一辺よりも長い場合は、蒸発源１６は、長手方向と直交する方向（図４で示す矢印で示す方向）に少なくとも移動できるようになっていればよい。蒸発源１６の長手方向が第１の基板１０１の一辺よりも短い場合には、蒸発源１６の移動方向を長手方向に直交する方向と平行な方向の２方向に移動できるようにすればよい。また、点線及び矢印で光路の一部を示してあるが、光路はこれに限らず、第１の基板１０１の成膜面に均一に膜が蒸着されるよう、蒸発源１６にレーザビームが照射されれば良い。
【００５９】
移動している蒸発源１６に充填された混合物１５を加熱するレーザビームは、成膜室１０の外部に設けられた光学系２３で線状に形成されている。
【００６０】
光学系２３の構成は、一例として、光源２２側からビームエキスパンダ２４、ビームホモジナイザ２６を組み合わせたものを適用することができる。ビームエキスパンダ２４は、凹シリンドリカルレンズ３６（若しくは凹レンズ）と凸シリンドリカルレンズ３８（若しくは凸レンズ）を組み合わせたものであり、これにより、光源２２から放射されるレーザビームのビーム幅を広げることができる。線状のレーザビームであることにより、レーザビームをスキャンするもしくは基板をスキャンすることにより、広い面積の基板を処理することができる。また、ビームホモジナイザ２６は、例えばＴＥＭ００モードで発振してガウス分布を持つレーザビームのエネルギー密度分布を均一化するためのものである。そのため、ビームホモジナイザ２６としては、シリンドリカルレンズアレイ４０と凸シリンドリカルレンズ４２を組み合わせたものを適用することができる。それにより、混合物１５に照射されるレーザビームのエネルギー密度分布を均一化することができる。
【００６１】
また、線状ビームを走査するための光学系の構成は、一例として、光軸を変更する可動ミラー４４及び４６が設けられている。蒸発源１６の移動と連動して可動ミラー４４、４６のミラーの角度が制御され、線状ビームが蒸発源１６に充填された混合物１５に照射されるようにしている。
【００６２】
第１の基板１０１に対して蒸発源１６が相対的に移動できればよく、蒸発源１６を固定し、代わりに第１の基板１０１を移動させる機構を設けることもできる。蒸発源１６を固定する場合は、線状ビームを走査する光学系を設けてもよいし、線状ビームを走査するための光学系を省略し、線状ビームが成膜室１０に入射する位置を固定してもよい。また、蒸発源１６と第１の基板１０１の双方を移動できるように、それぞれの移動機構を設けることもできる。
【００６３】
光源としては、ランプ光源を用いてもよい。図５に光源としてランプ光源を用いた場合の成膜装置の一態様を示す。図５は成膜装置の構成を説明する側面図である。
【００６４】
図５において、ランプ光源４８からの光は光導入窓１４を通過して混合物１５に照射される。光源としてランプ光源を用いた場合、レーザ光源を用いた場合に比べて、一度に広範囲に光を照射することができるため、タクトタイムが短くなり、生産性が向上する。
【００６５】
（実施の形態２）
本実施の形態では、実施の形態１で作製した成膜用基板を用いて、発光装置を作製する方法について説明する。
【００６６】
実施の形態１で作製した成膜用基板の材料層が形成されている第１面と、被成膜基板の成膜が所望される面である第１面とを対向して配置する。そして、成膜用基板の第１面と対向する第２の面側から光を照射する。照射した光を光吸収層が吸収し、その熱が材料層に伝わる。そして、材料層に含まれる有機化合物の少なくとも一部が加熱され、気化することにより、被成膜基板の第１の面に有機化合物が成膜される。
【００６７】
成膜用基板である第１の基板の第２面側から照射された光は、第１の基板内部を透過して第１面に形成された光吸収層に吸収される。よって、第１の基板は、照射する光の透過率が高い基板であることが好ましい。また、第１の基板は熱伝導率が低い材料で形成されていることが好ましい。第１の基板の熱伝導率が低い場合、光吸収層から第１の基板を介して熱が広がることを抑制することができるため、発生した熱を効率良く成膜に用いることができる。第１の基板としては、実施の形態１で示したように、例えば、ガラス基板、石英基板などを用いることができる。
【００６８】
光吸収層１０４は、成膜の際に照射された光を吸収する層である。よって、光吸収層１０４は、照射する光に対して低い反射率を有し、高い吸収率を有する材料で形成されていることが好ましい。具体的には、光吸収層１０４は、照射される光に対して、７０％以下の反射率を示すことが好ましい。
【００６９】
光吸収層１０４には、種々の材料を用いることができる。例えば、窒化チタン、窒化タンタル、窒化モリブデン、窒化タングステンなどの金属窒化物、チタン、モリブデン、タングステンなどの金属、カーボンなどを用いることができる。なお、照射される光の波長に応じて、光吸収層に好適な材料の種類が変化することから、適宜材料を選択する必要がある。また、光吸収層は一層に限らず複数の層により構成されていてもよい。例えば、金属と金属窒化物の積層構造としてもよい。
【００７０】
なお、光吸収層１０４は、種々の方法を用いて形成することができる。例えば、スパッタリング法、電子ビーム蒸着法、真空蒸着法などにより形成することができる。
【００７１】
また、光吸収層１０４の膜厚は、材料によって異なるが、照射した光が透過しない膜厚とすることで、照射した光を無駄にすることなく熱に変換することができる。よって、１０ｎｍ以上２μｍ以下の膜厚であることが好ましい。また、光吸収層１０４の膜厚が薄い方がより小さいエネルギーの光で光吸収層全体を加熱することができる。よって、光吸収層１０４の膜厚は、１０ｎｍ以上６００ｎｍ以下の膜厚であることがより好ましい。より好ましくは、光吸収層１０４の膜厚を５０ｎｍ以上２００ｎｍ以下の膜厚とすることにより、照射した光を効率良く吸収して発熱させることができる。
【００７２】
なお、光吸収層１０４は、材料層１０５に含まれる材料の成膜可能温度（材料層に含まれる材料の少なくとも一部が被成膜基板へ成膜される温度）まで加熱できるのであれば、照射する光の一部が透過してもよい。ただし、一部が透過する場合には、材料層１０５に含まれる材料として、照射する光によって分解しない材料を用いることが必要である。
【００７３】
材料層１０５は、被成膜基板上に成膜する材料を含む層である。材料層１０５には種々の有機化合物を用いることができる。本実施の形態で示すように発光素子のＥＬ層を形成する場合には、成膜可能な材料を用いる。なお、本明細書では、ＥＬ層とは、発光素子において、一対の電極間に設けられた層をいう。
【００７４】
例えば、ＥＬ層を形成するキャリア輸送性材料、発光材料などを用いることができる。材料層に発光材料を用い、本発明の一態様である発光装置の作製方法を適用することで、発光層の塗り分けを容易に行うことができる。よって、フルカラーの発光装置を容易に作製することができる。また、一般に基板が大きくなると発光層の塗り分けは困難となるが、本発明の一態様である発光装置の作製方法を適用することで、大型基板であっても発光層の塗り分けを容易に行うことができる。
【００７５】
また、材料層１０５は複数の材料を含んでいてもよい。また、材料層は単層でもよいし、複数の層が積層されていてもよい。従って、異なる材料を含む層を積層することにより、共蒸着することも可能である。なお、材料層１０５が積層構造を有する場合には、第１の基板側に成膜可能な温度の低い材料を含むように積層することが好ましい。このような構成とすることにより、積層構造を有する材料層による蒸着を効率良く行うことができる。
【００７６】
材料層１０５は、実施の形態１で示した成膜方法により形成することができる。実施の形態１で示した成膜方法は、材料利用効率が高いため、発光装置の製造コストを低減することができる。
【００７７】
また、本発明の一態様である発光装置の作製方法に用いる成膜用基板は、少なくとも第１の基板１０１上に、光吸収層１０４と材料層１０５を有していればよく、種々の構造の成膜用基板を用いることができる。
【００７８】
例えば、図６（Ｂ）に示すように第１の基板１０１と光吸収層１０４との間に、反射層１０２を設けても良い。反射層１０２は、成膜の際、光吸収層１０４の一部分に選択的に光を照射するために、それ以外の部分を遮光するための層であり、照射する光に対して高い反射率を有する材料で形成されていることが好ましい。具体的には、反射層１０２は、照射される光に対して、反射率が８５％以上、さらに好ましくは、反射率が９０％以上であることが好ましい。反射率が８５％以上、好ましくは９０％以上であることにより、照射される光を反射層が吸収し、熱に変換することを抑制できる。また、反射層を設けることにより、第１の基板に照射した光が材料層１０５を通して被成膜基板に照射されることを抑制することができる。
【００７９】
また、反射層１０２の材料には、例えば、銀、金、白金、銅、アルミニウムを含む合金、銀を含む合金などを用いることができる。なお、照射される光の波長により、反射層１０２に好適な材料の種類が変化することから、適宜材料を選択する必要がある。
【００８０】
なお、反射層１０２は、種々の方法を用いて形成することができる。例えば、スパッタリング法、電子ビーム蒸着法、真空蒸着法などにより形成することができる。また、反射層１０２の膜厚は、材料により異なるが、１００ｎｍ以上とすることが好ましい。１００ｎｍ以上の膜厚とすることにより、照射した光が反射層を透過することを抑制することができる。
【００８１】
また、反射層１０２に開口部１０６を形成する際には種々の方法を用いることができるが、ドライエッチング法を用いることが好ましい。ドライエッチング法を用いることにより、開口部１０６の側壁が鋭くなり、微細なパターンを形成することができる。
【００８２】
なお、反射層１０２と光吸収層１０４の反射率は差が大きいほど好ましい。具体的には、照射する光の波長に対して、反射率の差が２５％以上、より好ましくは３０％以上であることが好ましい。
【００８３】
また、図６（Ｃ）に示すように、光吸収層１０４からの熱の広がりを抑制するため、反射層１０２と光吸収層１０４との間に緩和層１０３を設けてもよい。また、緩和層１０３を設けることにより、反射層１０２によって吸収された光の一部が熱となって残った場合に、その熱が光吸収層１０４および材料層１０５に伝わるのを防ぐこともできる。よって、緩和層１０３を設けることにより、成膜パターンの輪郭の乱れを抑制することができる。
【００８４】
緩和層１０３は、反射層１０２および光吸収層１０４を形成する材料よりも、熱伝導率が低い材料を用いる必要がある。また、図６（Ｃ）に示すように、反射層１０２の開口部１０６を透過した光を、緩和層１０３を透過させて光吸収層に照射する構成の場合には、緩和層１０３は透光性を有する必要がある。この場合、緩和層１０３は、熱伝導率の低い材料であると共に光透過率の高い材料を用いる必要がある。具体的には、緩和層１０３には、光に対する透過率が６０％以上となる材料を用いることが好ましい。
【００８５】
緩和層１０３に用いる材料としては、例えば、酸化チタン、酸化珪素、窒化酸化珪素、酸化ジルコニウム、炭化珪素などを挙げることができる。なお、緩和層１０３は、種々の方法を用いて形成することができる。例えば、スパッタリング法、電子ビーム蒸着法、真空蒸着法、ＣＶＤ法などにより形成することができる。また、緩和層１０３の膜厚は、材料により異なるが、１０ｎｍ以上２μｍ以下とすることが好ましく、より好ましくは、１００ｎｍ以上６００ｎｍ以下とする。１０ｎｍ以上２μｍ以下の膜厚とすることにより、反射層１０２の開口部１０６を透過して照射される光を透過させつつ、反射層１０２に存在する熱が光吸収層１０４や材料層１０５に伝わるのを遮断する効果を有する。
【００８６】
そして、このような成膜用基板に光を照射することにより、１０５材料層に含まれる材料が加熱され、材料層１０５に含まれる材料の少なくとも一部が被成膜基板上に成膜される。材料層１０５が加熱されると、材料層１０５に含まれる材料の少なくとも一部が気化して被成膜基板上に堆積する。もしくは、材料層１０５の少なくとも一部に熱変形が生じその結果応力が変化するために膜が剥がれ、被成膜基板上に成膜される。
【００８７】
より具体的に、本発明の一態様である発光装置の作製方法を、図８を用いて説明する。図８では、成膜用基板として、図６（Ｂ）に示す成膜用基板を用いている。
【００８８】
まず、図８（Ａ）に示すように、第１の基板１０１の一方の面であって、光吸収層１０４および材料層１０５が形成された面に対向する位置に、被成膜基板である第２の基板１０７を配置する。第２の基板１０７は、成膜処理により所望の層が成膜される被成膜基板である。なお、ここでは、成膜用基板を用いて発光素子のＥＬ層を形成する場合について説明するため、第２の基板１０７上には、発光素子の一方の電極となる第１の電極１０８、および絶縁物１０９が形成されている。そして、第１の基板１０１と第２の基板１０７とを至近距離、具体的には第１の基板１０１上の材料層１０５の表面と、第２の基板１０７表面との距離ｄを、０ｍｍ以上２ｍｍ以下、好ましくは０ｍｍ以上０．０５ｍｍ以下、さらに好ましくは０ｍｍ以上０．０３ｍｍ以下となるように近づけて対向させる。
【００８９】
なお、距離ｄは、第１の基板１０１上の材料層１０５の表面と、第２の基板１０７の表面との距離で定義する。従って、第２の基板１０７上に何らかの層（例えば、電極として機能する導電層や隔壁として機能する絶縁物等）が形成されている場合、距離ｄは、第１の基板１０１上の材料層１０５の表面と、第２の基板１０７上に形成された層の最表面との距離で定義する。ただし、第１の基板１０１上の材料層１０５の表面や、第２の基板１０７上に形成された層の最表面が凹凸を有する場合における距離ｄは、第１の基板１０１上の材料層１０５の表面と、第２の基板１０７上に形成された層の最表面との間の最も短い距離で定義することとする。
【００９０】
また、図９（Ａ）には、第１の基板１０１と第２の基板１０７との距離ｄが０ｍｍの場合について示す。つまり、第１の基板１０１上に形成された材料層１０５と、第２の基板１０７上に形成された層のうちの最表層である絶縁物１０９とが接する場合について示す。このように距離ｄを小さくすることで、図９（Ｂ）に示すように光を照射した際に、第２の基板１０７上に成膜される膜の形状の精度を向上させることができる。材料利用効率および膜厚制御の点から、２ｍｍ以下であることが好ましい。また、第２の基板１０７の表面に凹凸がない場合には、材料層１０５の熱が被成膜面に伝わらないようにするため、第１の基板１０１上の材料層１０５と第２の基板１０７の被成膜面が接しないようにすることが好ましい。
【００９１】
また、被成膜基板上に、すでに有機化合物などの熱安定性が低い材料が成膜されている場合には、すでに成膜されている膜に熱が伝わらないように、第１の基板１０１上の材料層１０５と第２の基板１０７の被成膜面が接しないようにすることが好ましい。
【００９２】
次に、図８（Ｂ）に示すように第１の基板１０１の裏面（光吸収層１０４および材料層１０５が形成されていない面）側から光１１０を照射する。第１の基板１０１上に形成された光吸収層１０４は、照射された光を吸収し、熱に変換する。そして、その熱を光吸収層１０４に接して設けられた材料層１０５に与えることより、材料層１０５に含まれる材料の少なくとも一部を第２の基板１０７上に形成された第１の電極１０８上に成膜する。これにより、第２の基板１０７上に発光素子のＥＬ層１１１を形成することができる。
【００９３】
照射する光は、光吸収層１０４が吸収する波長の光であることが好ましい。また、材料層に含まれる有機化合物が光により分解することを防止するため、照射する光は、可視光、もしくは、可視光よりも長波長の光であることが好ましい。
【００９４】
照射する光の光源としては、レーザ、ランプなど種々の光源を用いることが好ましい。レーザ光は、指向性の高い光であるため、光の干渉などの影響を受けにくい。また、ランプ光はレーザ光に比べ一度に広範囲を照射することができるため、タクトタイムを短くすることができる。
【００９５】
なお、成膜パターンの輪郭の乱れを抑制するため、短時間の光の照射が可能なレーザやフラッシュランプを用いることが好ましい。
【００９６】
例えば、レーザ光としては、Ａｒレーザ、Ｋｒレーザ、エキシマレーザなどの気体レーザ、単結晶のＹＡＧ、ＹＶＯ４、フォルステライト（Ｍｇ２ＳｉＯ４）、ＹＡｌＯ３、ＧｄＶＯ４、若しくは多結晶（セラミック）のＹＡＧ、Ｙ２Ｏ３、ＹＶＯ４、ＹＡｌＯ３、ＧｄＶＯ４に、ドーパントとしてＮｄ、Ｙｂ、Ｃｒ、Ｔｉ、Ｈｏ、Ｅｒ、Ｔｍ、Ｔａのうち１種または複数種添加されているものを媒質とするレーザ、ガラスレーザ、ルビーレーザ、アレキサンドライトレーザ、Ｔｉ：サファイアレーザ、ファイバーレーザ等の固体レーザのうち一種または複数種から発振されるものを用いることができる。また、上記固体レーザから発振される第２高調波や第３高調波、さらに高次の高調波を用いることもできる。なお、レーザ媒体が固体である固体レーザを用いると、メンテナンスフリーの状態を長く保てるという利点や、出力が比較的に安定している利点を有している。また、レーザ光は、パルス発振であっても連続発振であってもよい。
【００９７】
また、レーザ光を用いる場合、レーザ光の照射面での形状は、線状または矩形状とすることが好ましい。線状または矩形状とすることにより、処理基板にレーザ光を効率よく走査することができる。よって、成膜に要する時間（タクトタイム）が短くなり、生産性が向上する。
【００９８】
レーザ光以外の光源としては、フラッシュランプ（キセノンフラッシュランプ、クリプトンフラッシュランプなど）、キセノンランプ、メタルハライドランプのような放電灯、ハロゲンランプ、タングステンランプのような発熱灯を用いることができる。特に、フラッシュランプは短時間（０．１ミリ秒乃至１０ミリ秒）で非常に強度の高い光を繰り返し、大面積に照射することができるため、材料層を大面積化した場合に、タクトタイムを短くすることができる。また、フラッシュランプは寿命が長く、発光待機時の消費電力が低いため、ランニングコストを低く抑えることができる。
【００９９】
また、本発明の一態様では、照射された光源からの光による輻射熱を利用するのではなく、光源からの光を吸収した光吸収層１０４が材料層１０５に熱を与えることが特徴である。よって、被成膜基板の温度が上昇することがないため、被成膜基板として、耐熱性の低い基板を用いることができる。
【０１００】
また、成膜は減圧雰囲気で行われることが好ましい。減圧雰囲気は、成膜室内を真空排気手段により真空度が５×１０−３Ｐａ以下、好ましくは１０−４Ｐａ乃至１０−６Ｐａ程度の範囲なるように真空排気することで得られる。
【０１０１】
なお、本発明の一態様である発光装置の作製方法は、発光素子の一対の電極間の少なくとも一層に本明細書で示した成膜方法を用いていればよく、他の層の形成方法は特に限定されない。
【０１０２】
図８および図９では、全ての画素に共通な層を形成する場合について説明した。図８および図９で示す方法を用いて、全ての発光素子が同一の構成である発光装置を作製することができる。例えば、図８に示す方法により発光層を形成することで、全ての発光素子が同一の構成であり、かつ、一対の電極間に発光層を有する構成の発光装置を作製することができる。また、図８に示す方法を繰り返して複数の層を積層することにより、全ての発光素子が同一の構成であり、かつ、一対の電極間に複数の層を有する構成の発光装置を作製することができる。例えば、第１の成膜用基板を用い、図８に示す方法により、被成膜基板である第２の基板１０７上にＥＬ層の一部（正孔注入層、正孔輸送層など）を形成する。その後、予め用意しておいた第２の成膜用基板を用い、図８に示すように、ＥＬ層の一部（正孔注入層、正孔輸送層など）が形成された第２の基板上に、発光層を成膜してもよい。
【０１０３】
また、図８および図９では、第２の基板１０７が、第１の基板１０１の上方に位置する場合を図示したが、本発明の一態様ではこれに限定されない。基板の配置する向きは適宜設定することができる。
【０１０４】
なお、本実施の形態では、図６（Ｂ）に示す構造の成膜用基板を用いて説明したが、例えば、図６（Ａ）や図６（Ｃ）に示した成膜用基板に関しても同様にＥＬ層を成膜することができる。また、本発明の一態様に適用できる成膜用基板は少なくとも第１の基板１０１上に、光吸収層１０４と材料層１０５を有していればよく、図６に示す以外にも、例えば図７に示す構造の成膜用基板を用いることできる。
【０１０５】
図７（Ａ）に示す構造は、第１の基板１０１上に、開口部１０６を有する反射層１０２が形成され、反射層１０２上に緩和層１０３が全面に形成されている。そして、開口部１０６に対応する領域に光吸収層１０４がパターン形成されており、その上に、材料層１０５が全面に形成されている。このような構造とすることにより、光吸収層の面方向への熱の拡散が抑えられ、成膜パターンの輪郭の乱れを抑制することができる。また、光吸収層１０４が成膜が必要な領域のみに形成されているため、成膜用基板と被成膜用基板とが接するようにして（距離ｄ＝０として）成膜した場合でも、被成膜用基板に熱が伝わりにくい。よって、距離ｄを小さくすることにより、より精度良く成膜することができる。そのため、より微細なパターンの形成が可能となり、高精細な発光装置を作製することができる。
【０１０６】
図７（Ｂ）に示す構造は、第１の基板１０１上に、開口部１０６を有する反射層１０２が形成され、反射層１０２上に緩和層１０３が全面に形成されている。緩和層１０３上の反射層１０２と対応する領域に第２の緩和層１１２が形成され、開口部１０６に対応する領域に光吸収層１０４がパターン形成されている。その上に、材料層１０５が全面に形成されている。このような構造とすることにより、光吸収層の面方向への熱の拡散が抑えられ、成膜パターンの輪郭の乱れを抑制することができる。また、光吸収層１０４が成膜が必要な領域のみに形成されているため、成膜用基板と被成膜用基板とが接するようにして（距離ｄ＝０として）成膜した場合でも、被成膜用基板に熱が伝わりにくい。よって、距離ｄを小さくすることにより、より精度良く成膜することができる。そのため、より微細なパターンの形成が可能となり、高精細な発光装置を作製することができる。
【０１０７】
図７（Ｃ）に示す構造は、第１の基板１０１上に、開口部１０６を有する反射層１０２が形成され、反射層１０２上に緩和層１０３が形成されている。緩和層１０３は、反射層１０２が形成されている領域に対応して形成されている。その上に、光吸収層１０４および材料層１０５が全面に形成されている。このような構造とすることにより、反射層１０２に吸収された光の一部が熱となった場合に、その熱が光吸収層１０４および材料層１０５に伝わるのを防ぐことができる。よって、より精度高く、所望の領域のみに成膜することが可能となる。また、より微細なパターンの形成が可能となり、高精細な発光装置を作製することができる。
【０１０８】
図７（Ｄ）に示す構造は、図７（Ｃ）に示す構造において、緩和層１０３を厚膜化（好ましくは、１μｍ〜１０μｍ）した構造である。緩和層１０３を厚膜化することにより、光吸収層１０４を不連続な構成とすることができる。つまり、開口部１０６に形成されている光吸収層１０４と、緩和層１０３上に形成されている光吸収層１０４とが接続されていない構造とすることができる。そのため、開口部１０６において光を吸収した光吸収層１０４からの熱が緩和層１０３上に形成されている光吸収層１０４に伝わらず、光吸収層１０４の面方向への熱の拡散が抑えられている。よって、成膜パターンの輪郭の乱れを抑制することができる。また、成膜用基板と被成膜用基板とが接するようにして（距離ｄ＝０として）成膜した場合でも、被成膜用基板に熱が伝わりにくい構造となっている。よって、距離ｄを小さくすることにより、より精度良く成膜することができる。そのため、より微細なパターンの形成が可能となり、高精細な発光装置を作製することができる。
【０１０９】
図７（Ｅ）に示す構造は、図７（Ｃ）に示す構造において、光吸収層１０４と材料層１０５の間に、第２の緩和層１１２を設けた構造である。つまり、第１の基板１０１上に、開口部１０６を有する反射層１０２が形成され、反射層１０２上に緩和層１０３が形成されている。緩和層１０３は、反射層１０２が形成されている領域に対応して形成されている。その上に、光吸収層１０４が全面に形成され、第２の緩和層１１２が、反射層１０２および緩和層１０３と対応する領域に形成されている。その上に、材料層１０５が全面に形成されている。このような構成とすることにより、光吸収層１０４の面方向に熱が拡散した場合でも、所望の領域以外の材料層１０５に伝わらないため、成膜パターンの輪郭の乱れを抑制することができる。また、成膜用基板と被成膜用基板とが接するようにして（距離ｄ＝０として）成膜した場合でも、被成膜用基板に熱が伝わりにくい構造となっている。よって、距離ｄを小さくすることにより、より精度良く成膜することができる。そのため、より微細なパターンの形成が可能となり、高精細な発光装置を作製することができる。
【０１１０】
図７（Ｆ）に示す構造は、図７（Ｅ）に示す構造において、第２の緩和層１１２を厚膜化した構造である。第２の緩和層１１２を厚膜化することにより、材料層１０５を不連続な構成とすることができる。つまり、開口部１０６に形成されている材料層と、第２の緩和層１１２上に形成されている材料層とが接続されていない構造とすることができる。そのため、光吸収層１０４の面方向に熱が拡散した場合でも、所望の領域以外の材料層に伝わらないため、成膜パターンの輪郭の乱れを抑制することができる。また、成膜用基板と被成膜用基板とが接するようにして（距離ｄ＝０として）成膜した場合でも、被成膜用基板に熱が伝わりにくい構造となっている。よって、距離ｄを小さくすることにより、より精度良く成膜することができる。そのため、より微細なパターンの形成が可能となり、高精細な発光装置を作製することができる。
【０１１１】
図７（Ｇ）に示す構造は、図７（Ｅ）に示す構造において、緩和層１０３を全面に形成している構成である。図７（Ｇ）に示す構造においても図７（Ｅ）に示す構造と同様に、より微細なパターンの形成が可能となり、高精細な発光装置を作製することができる。
【０１１２】
図７（Ｈ）に示す構造は、図７（Ｆ）に示す構造において、緩和層１０３を全面に形成している構成である。図７（Ｈ）に示す構造においても図７（Ｆ）に示す構造と同様に、より微細なパターンの形成が可能となり、高精細な発光装置を作製することができる。
【０１１３】
本実施の形態に示す発光装置の作製方法は、被成膜基板が大型であっても、所望の領域のみに成膜することが可能であるため、微細パターンの形成が可能となり、高精細な発光装置を作製することができる。
【０１１４】
また、本実施の形態に示す発光装置の作製方法は、成膜用基板と被成膜基板との距離が小さい状態で成膜する。よって、成膜用基板上に設けられた材料層の多くが被成膜基板上に成膜されるため、材料の利用効率が高い。よって、製造コストの低減を図ることができる。また、成膜用基板と被成膜基板との距離が小さい状態で成膜するため、成膜室内壁に材料が付着することも防止でき、成膜装置のメンテナンスを容易にすることができる。
【０１１５】
また、実施の形態１で示した成膜用基板をあらかじめ用意しておき、成膜用基板を入れ替えることによって、被成膜基板に次々と成膜することができる。よって、発光装置の製造に要する時間（タクトタイム）を短くし、生産性を向上させることができる。
【０１１６】
また、一度成膜に用いた成膜用基板は、材料層を除去し、再度新しい材料層を形成することにより、複数回使用することができる。よって、発光装置の作製におけるコストを削減することができる。本発明の一態様に係る成膜用基板は、支持基板として、ガラス基板や石英基板を用いている。これらの基板は、フィルム基板などよりも不純物（水分など）が吸着または付着しにくい。よって、本発明の一態様に係る成膜用基板は再利用に好適である。
【０１１７】
また、本発明の一態様である発光装置の作製方法は、湿式法を用いて直接被成膜基板上にＥＬ層を形成する場合とは異なり、すでに形成された層の溶解性等を考慮する必要がないため、成膜する材料の種類の選択肢が広がる。また、積層する層の数についても自由に設定できる。よって、本発明の一態様である発光装置の作製方法を用いることにより、所望の材料を用いて、所望の積層構造の発光装置を作製することができる。特に、基板が大型化した場合において、用いる材料の種類や積層構造を自由に設計できるということは、発光装置の性能を向上させる点において、重要である。
【０１１８】
また、湿式法を用いて直接被成膜基板上に成膜して発光装置を作製した場合、溶媒や不純物等の影響により、乾式法を用いて発光装置を作製した場合に比べて、発光効率や寿命などの性能が劣る場合が多い。しかしながら、本発明の一態様である発光装置の作製方法は、所望の材料の少なくとも一部を気化して成膜するため、溶媒の影響を低減することができる。
【０１１９】
また、本実施の形態に示す発光装置の作製方法を用いることにより、第１の基板上に形成された材料層の膜厚を制御することによって、被成膜基板である第２の基板上に成膜される膜の膜厚を制御することができる。つまり、第２の基板上に形成される膜が所望の膜厚となるように、予め材料層の膜厚が制御されて第１の基板上に形成されているため、第２の基板上に成膜する際の膜厚モニターは不要となる。よって、膜厚モニターを利用した成膜速度の調節を使用者が行う必要がなく、成膜工程を全自動化することが可能である。そのため、生産性の向上を図ることができる。
【０１２０】
また、本実施の形態に示す発光装置の作製方法を用いることにより、第１の基板上に形成された材料層１０５に含まれる材料を均一に成膜することができる。また、材料層１０５が複数の材料を含む場合でも、材料層１０５と同じ材料をほぼ同じ重量比で含有する膜を被成膜基板である第２の基板上に成膜することができる。従って、本実施の形態に示す発光装置の作製方法を用いることにより、気化する温度の異なる複数の材料を用いて成膜する場合でも、共蒸着のようにそれぞれ蒸着レートを制御する必要がない。そのため、蒸着レート等の複雑な制御を行うことなく、所望の異なる材料を含む層を容易に精度良く成膜することができる。
【０１２１】
なお、本実施の形態に示す構成は、他の実施の形態に示した構成を適宜組み合わせて用いることができる。
【０１２２】
（実施の形態３）
実施の形態２では、全ての発光素子に共通の層を形成する場合について説明した。しかし、実施の形態２で示した成膜方法は、所望の領域のみに成膜することが可能であるため、発光素子毎に膜を作り分けることができる。従って、実施の形態２で示した成膜方法を用いて、発光層を発光素子毎に作り分けることで、フルカラーの発光装置を作製することができる。また、例えば、発光層以外のＥＬ層（正孔注入層、正孔輸送層、電子注入層、電子輸送層など）を形成する場合に、実施の形態２で示した成膜方法を用いることにより、各発光素子に最適な構造を作り分けることができる。例えば、発光波長に応じてＥＬ層の膜厚を変化させるなど光学設計を行うことや、各発光素子において用いる材料を異なるようにすることも容易となる。
【０１２３】
以下に、本実施の形態で示した成膜用基板を用いて、３種類の異なるＥＬ層を形成する場合について説明する。
【０１２４】
まず、例えば、図６（Ｂ）に示した成膜用基板を３枚用意する。それぞれの成膜用基板には、発光の異なるＥＬ層を形成するための材料層が形成されている。具体的には、赤色発光を示すＥＬ層（ＥＬ層（Ｒ））を形成するための材料を含む材料層（Ｒ）を有する第１の成膜用基板と、緑色発光を示すＥＬ層（ＥＬ層（Ｇ））を形成するための材料を含む材料層（Ｇ）を有する第２の成膜用基板と、青色発光を示すＥＬ層（ＥＬ層（Ｂ））を形成するための材料を含む材料層（Ｂ）を有する第３の成膜用基板とを用意する。
【０１２５】
また、実施の形態２において図８に示した複数の第１の電極を有する被成膜基板を１枚用意する。なお、被成膜基板上の複数の第１の電極は、その端部が絶縁物で覆われているため、発光領域は、第１の電極の一部であって、絶縁物と重ならずに露呈している領域に相当する。
【０１２６】
まず、１回目の成膜工程として、図８と同様に被成膜基板と第１の成膜用基板とを重ね、位置合わせをして固定する。なお、被成膜基板には、位置合わせ用のマーカを設けることが好ましい。また、第１の成膜用基板にも位置合わせ用のマーカを設けることが好ましい。なお、第１の成膜用基板には、光吸収層が設けられているため、位置合わせのマーカ周辺の光吸収層は予め除去しておくことが好ましい。また、第１の成膜用基板には、材料層（Ｒ）が設けられているため、位置合わせのマーカ周辺の材料層（Ｒ）も予め除去しておくことが好ましい。
【０１２７】
そして、第１の成膜用基板の裏面（図８に示す反射層１０２、光吸収層１０４、および材料層１０５が形成されていない面）側から光を照射する。光吸収層が、照射された光を吸収して材料層（Ｒ）に熱を与えることで、材料層（Ｒ）に含まれる材料を加熱し、被成膜基板上の一部の第１の電極上にＥＬ層（Ｒ）が形成される。その後、第１の成膜用基板を取り外し、次の成膜に備える。
【０１２８】
２回目の成膜工程として、被成膜基板と第２の成膜用基板とを重ね、位置合わせをして固定する。第２の成膜用基板には、１回目の成膜時で使用した第１の成膜用基板とは１画素分ずれて反射層の開口部が形成されている。
【０１２９】
そして、第２の成膜用基板の裏面（図８に示す反射層１０２、光吸収層１０４、および材料層１０５が形成されていない面）側から光を照射する。光吸収層が、照射された光を吸収して材料層（Ｇ）に熱を与えることで、材料層（Ｇ）に含まれる材料を加熱し、１回目の成膜でＥＬ層（Ｒ）が形成された第１の電極に隣接する第１の電極上にＥＬ層（Ｇ）が形成する。その後、第２の成膜用基板を取り外し、次の成膜に備える。
【０１３０】
３回目の成膜工程として、被成膜基板と第３の成膜用基板とを重ね、位置合わせをして固定する。第３の成膜用基板には、１回目の成膜時で使用した第１の成膜用基板とは２画素分ずれて反射層の開口部が形成されている。
【０１３１】
そして、第３の成膜用基板の裏面（図８に示す反射層１０２、光吸収層１０４、および材料層１０５が形成されていない面）側から光を照射する。この３回目の成膜を行う直前の様子が図１４（Ａ）の上面図に相当する。図１４（Ａ）において、反射層４０１は開口部４０２を有している。従って、第３の成膜用基板の反射層４０１の開口部４０２を通過した光は、光吸収層に吸収される。また、被成膜基板の第３の成膜用基板の開口部４０２と重なる領域には、第１の電極が形成されている。なお、図１４（Ａ）中に点線で示した領域の下方には、既に１回目の成膜により形成されたＥＬ層（Ｒ）４１１と２回目の成膜により形成されたＥＬ層（Ｇ）４１２が位置している。
【０１３２】
そして、３回目の成膜により、ＥＬ層（Ｂ）４１３が形成される。光吸収層が、照射された光を吸収して材料層（Ｂ）に熱を与えることで、材料層（Ｂ）に含まれる材料を加熱し、２回目の成膜でＥＬ層（Ｇ）４１２が形成された第１の電極に隣接する第１の電極上にＥＬ層（Ｂ）４１３が形成される。
【０１３３】
こうしてＥＬ層（Ｒ）４１１、ＥＬ層（Ｇ）４１２、ＥＬ層（Ｂ）４１３を一定の間隔をあけて同一の被成膜基板上に形成することができる。そして、これらの膜上に第２の電極を形成することによって、発光素子を形成することができる。
【０１３４】
以上の工程で、同一基板上に異なる発光を示す発光素子が形成されることにより、フルカラー表示が可能な発光装置を形成することができる。
【０１３５】
図１４では、成膜用基板に形成された反射層の開口部４０２の形状を矩形とした例を示したが、特に限定されず、ストライプ状の開口部としても良い。ストライプ状の開口部とした場合、同じ発光色となる発光領域の間にも成膜が行われるが、絶縁物４１４の上に形成されるため、絶縁物４１４と重なる部分は発光領域とはならない。
【０１３６】
また、画素の配列も特に限定されず、図１５（Ａ）に示すように、１つの画素形状を多角形、例えば六角形としてもよく、ＥＬ層（Ｒ）５１１、ＥＬ層（Ｇ）５１２、ＥＬ層（Ｂ）５１３を配置してフルカラーの発光装置を実現させることもできる。なお、図１５（Ａ）に示す多角形の画素を形成するために、図１５（Ｂ）に示す多角形の開口部５０２を有する反射層５０１を有する成膜用基板を用いて成膜すればよい。
【０１３７】
本実施の形態に示す発光装置の作製方法は、被成膜基板が大型であっても、所望の領域のみに成膜することが可能であるため、微細パターンの形成が可能となり、高精細な発光装置を作製することができる。
【０１３８】
また、本発明の一態様である発光装置の作製方法は、成膜用基板をあらかじめ用意しておき、成膜用基板を入れ替えることによって、被成膜基板に次々と成膜することができる。よって、発光装置の製造に要する時間（タクトタイム）を短くし、生産性を向上させることができる。
【０１３９】
また、一度成膜に用いた成膜用基板は、材料層を除去し、再度新しい材料層を形成することにより、複数回使用することができる。よって、発光装置の作製におけるコストを削減することができる。
【０１４０】
また、本発明の一態様である発光装置の作製方法は、湿式法を用いて直接被成膜基板上にＥＬ層を形成する場合とは異なり、すでに形成された層の溶解性等を考慮する必要がないため、成膜する材料の種類の選択肢が広がる。また、積層する層の数についても自由に設定できる。よって、本発明の一態様である発光装置の作製方法を用いることにより、所望の材料を用いて、所望の積層構造の発光装置を作製することができる。特に、基板が大型化した場合において、用いる材料の種類や積層構造を自由に設計できるということは、発光装置の性能を向上させる点において、重要である。
【０１４１】
また、湿式法を用いて直接被成膜基板上に成膜して発光装置を作製した場合、溶媒や不純物等の影響により、乾式法を用いて発光装置を作製した場合に比べて、発光効率や寿命などの性能が劣る場合が多い。しかしながら、本発明の一態様である発光装置の作製方法は、所望の材料を加熱して成膜するため、溶媒の影響を低減することができる。
【０１４２】
また、本発明の一態様である発光装置の作製方法を用いることにより、膜厚モニターを利用した成膜速度の調節を使用者が行う必要がなく、成膜工程を全自動化することが可能である。そのため、生産性の向上を図ることができる。
【０１４３】
また、本発明の一態様である発光装置の作製方法を用いることにより、気化する温度の異なる複数の材料を用いて成膜する場合でも、共蒸着のようにそれぞれ蒸着レートを制御する必要がない。そのため、蒸着レート等の複雑な制御を行うことなく、所望の異なる材料を含む層を容易に精度良く成膜することができる。
【０１４４】
なお、本実施の形態に示す構成は、他の実施の形態に示す構成と適宜組み合わせて用いることができる。
【０１４５】
（実施の形態４）
本実施の形態では、実施の形態２で示した成膜方法を用いてフルカラーの発光装置を作製する方法について説明する。本実施の形態では、一例として、ＥＬ層のうち、発光層を作り分けて、発光層以外を共通の層で形成したフルカラーの発光装置を作製する方法について、図１０〜図１３を用いて説明する。
【０１４６】
まず、被成膜基板である第２の基板１０７上に形成されている第１の電極１０８上に、正孔注入層２１１を形成する。正孔注入層２１１の形成方法は、実施の形態１や実施の形態２で示した方法も含め種々の方法を用いることができる。なお、正孔注入層２１１を画素部の全面に形成し各発光素子において共通な層としてもよいし、実施の形態２で示したように各発光素子で作り分けてもよい。画素の位置合わせが容易となるため、正孔注入層２１１を画素部の全面に形成し各発光素子において共通な層とすると好ましい。
【０１４７】
次に、正孔注入層２１１上に正孔輸送層２１２を形成する。正孔輸送層２１２の形成方法は、実施の形態１や実施の形態２で示した方法も含め種々の方法を用いることができる。なお、正孔輸送層２１２を画素部の全面に形成し各発光素子において共通な層としてもよいし、実施の形態２で示したように各発光素子で作り分けてもよい。画素の位置合わせが容易となるため、正孔輸送層２１２を画素部の全面に形成し各発光素子において共通な層とすると好ましい。
【０１４８】
次に、図１０に示すように、発光層２１３Ａを形成する。本実施の形態の発光装置はフルカラー表示が可能であるため、発光層２１３Ａは例えば赤色画素に対応する領域のみに成膜する。図１０（Ａ）では赤色画素に対応する領域のみ成膜できるように反射層１０２に開口部１０６を設けた成膜用基板の一例を示す。図１０（Ａ）に示すような成膜用基板を用い、実施の形態２に示す成膜方法を用いることにより、赤色画素に対応する領域のみに発光層２１３Ａを成膜することができる。
【０１４９】
次に、図１１に示すように、発光層２１３Ｂを形成する。本実施の形態の発光装置はフルカラー表示が可能であるため、発光層２１３Ｂは例えば緑色画素に対応する領域のみに成膜する。図１１（Ａ）では緑色画素に対応する領域のみ成膜できるように反射層１０２に開口部１０６を設けた成膜用基板の一例を示す。図１１（Ａ）に示すような成膜用基板を用い、実施の形態２に示す成膜方法を用いることにより、緑色画素に対応する領域のみに発光層２１３Ｂを成膜することができる。
【０１５０】
次に、図１２に示すように、発光層２１３Ｃを形成する。本実施の形態の発光装置はフルカラー表示が可能であるため、発光層２１３Ｃは例えば青色画素に対応する領域のみに成膜する。図１２（Ａ）では青色画素に対応する領域のみ成膜できるように反射層１０２に開口部１０６を設けた成膜用基板の一例を示す。図１２（Ａ）に示すような成膜用基板を用い、実施の形態２に示す成膜方法を用いることにより、青色画素に対応する領域のみに発光層２１３Ｃを成膜することができる。
【０１５１】
次に、発光層２１３Ａ〜２１３Ｃ上に、電子輸送層２１４を形成する。電子輸送層２１４の形成方法は、実施の形態１や実施の形態２で示した方法も含め種々の方法を用いることができる。なお、電子輸送層２１４を画素部の全面に形成し各発光素子において共通な層としてもよいし、実施の形態２で示したように各発光素子で作り分けてもよい。画素の位置合わせが容易となるため、電子輸送層２１４を画素部の全面に形成し各発光素子において共通な層とすると好ましい。
【０１５２】
次に、電子輸送層２１４上に、電子注入層２１５を形成する。電子注入層２１５の形成方法は、実施の形態１や実施の形態２で示した方法も含め種々の方法を用いることができる。なお、電子注入層２１５を画素部の全面に形成し各発光素子において共通な層としてもよいし、実施の形態２で示したように各発光素子で作り分けてもよい。画素の位置合わせが容易となるため、電子注入層２１５を画素部の全面に形成し各発光素子において共通な層とすると好ましい。
【０１５３】
その後、電子注入層２１５上に第２の電極１１３を形成し、図１３に示す発光素子を作製することができる。
【０１５４】
なお、本実施の形態では、各発光素子が、正孔注入層、正孔輸送層、発光層、電子輸送層、電子注入層を有する構成について説明したが、発光層以外の層は適宜設ければよい。また、発光素子毎に異なる構成にしてもよい。実施の形態２に示す成膜方法を用いることにより、発光素子毎に層を作り分けることが容易にできる。
【０１５５】
また、本実施の形態では、赤色画素の発光層、緑色画素の発光層、青色画素の発光層を順に形成していく方法について説明したが、形成していく順序はこれに限定されない。また、３色の画素に限られず、他に白色画素などを設けてもよい。この場合も実施の形態１や実施の形態２で示した成膜方法を用いることができる。
【０１５６】
また、本実施の形態では、赤色画素の発光層、緑色画素の発光層、青色画素の発光層を全て作り分ける方法について説明したが、青色発光層を全面に形成することで、青色画素では青色発光層として機能し、他の画素では正孔輸送層として機能する構成とすることもできる。
【０１５７】
本実施の形態に示す発光装置の作製方法は、被成膜基板が大型であっても、所望の領域のみに成膜することが可能であるため、微細パターンの形成が可能となり、高精細な発光装置を作製することができる。
【０１５８】
また、本発明の一態様である発光装置の作製方法は、成膜用基板をあらかじめ用意しておき、成膜用基板を入れ替えることによって、被成膜基板に次々と成膜することができる。よって、発光装置の製造に要する時間（タクトタイム）を短くし、生産性を向上させることができる。
【０１５９】
また、一度成膜に用いた成膜用基板は、材料層を除去し、再度新しい材料層を形成することにより、複数回使用することができる。よって、発光装置の作製におけるコストを削減することができる。
【０１６０】
また、本発明の一態様である発光装置の作製方法は、湿式法を用いて直接被成膜基板上にＥＬ層を形成する場合とは異なり、すでに形成された層の溶解性等を考慮する必要がないため、成膜する材料の種類の選択肢が広がる。また、積層する層の数についても自由に設定できる。よって、本発明の一態様である発光装置の作製方法を用いることにより、所望の材料を用いて、所望の積層構造の発光装置を作製することができる。特に、基板が大型化した場合において、用いる材料の種類や積層構造を自由に設計できるということは、発光装置の性能を向上させる点において、重要である。
【０１６１】
また、湿式法を用いて直接被成膜基板上に成膜して発光装置を作製した場合、溶媒や不純物等の影響により、乾式法を用いて発光装置を作製した場合に比べて、発光効率や寿命などの性能が劣る場合が多い。しかしながら、本発明の一態様である発光装置の作製方法は、所望の材料を加熱して成膜するため、溶媒の影響を低減することができる。
【０１６２】
また、本発明の一態様である発光装置の作製方法を用いることにより、膜厚モニターを利用した成膜速度の調節を使用者が行う必要がなく、成膜工程を全自動化することが可能である。そのため、生産性の向上を図ることができる。
【０１６３】
また、本発明の一態様である発光装置の作製方法を用いることにより、気化する温度の異なる複数の材料を用いて成膜する場合でも、共蒸着のようにそれぞれ蒸着レートを制御する必要がない。そのため、蒸着レート等の複雑な制御を行うことなく、所望の異なる材料を含む層を容易に精度良く成膜することができる。
【０１６４】
なお、本実施の形態に示す構成は、他の実施の形態に示した構成を適宜組み合わせて用いることができる。
【０１６５】
（実施の形態５）
本実施の形態では、成膜用基板にランプ光を照射させることにより成膜を行う成膜装置について説明する。
【０１６６】
以下では、本発明の一態様に係る発光装置の作製を可能とする成膜装置の例について説明する。本実施の形態に係る成膜装置の断面の模式図を図１６、図１７に示す。
【０１６７】
図１６（Ａ）において、成膜室８０１は、真空チャンバーであり、第１のゲート弁８０２、及び第２のゲート弁８０３によって他の処理室と連結している。また、成膜室８０１内には、第１の基板支持手段８０４である基板支持機構と、第２の基板支持手段８０５である被成膜基板支持機構と、光源８１０を少なくとも有している。
【０１６８】
まず、実施の形態１で示した方法により、成膜用基板である第１の基板８０７上に材料層８０８を形成する。本実施の形態において、第１の基板８０７は図６に示した第１の基板１０１に相当し、材料層８０８は図６に示した材料層１０５に相当する。ここでは、第１の基板８０７として、透光性を有する基板を用いる。なお、第１の基板８０７の形状は特に限定されない。第１の基板８０７は被成膜基板と面積が同じ、若しくはそれより大きい面積を有していることが好ましい。また、材料層８０８としては、蒸着可能である有機化合物を用いる。材料層８０８の形成方法は実施の形態１で示した方法を用いることができる。
【０１６９】
他の成膜室から第１の基板８０７を成膜室８０１に搬送し、基板支持機構にセットする。また、第１の基板８０７における材料層８０８の形成されている面と、被成膜基板である第２の基板８０９の被成膜面とが、対向するように、第１の基板８０７を基板支持機構に固定する。
【０１７０】
第２の基板支持手段８０５を移動させて、第１の基板８０７と第２の基板８０９の基板間隔が距離ｄとなるように近づける。なお、距離ｄは、第１の基板８０７上に形成された材料層８０８の表面と、第２の基板８０９の表面との距離で定義する。また、第２の基板８０９上に何らかの層（例えば、電極として機能する導電層や隔壁として機能する絶縁層等）が形成されている場合、距離ｄは、第１の基板８０７上の材料層８０８の表面と、第２の基板８０９上に形成された層の表面との距離で定義する。ただし、第２の基板８０９或いは第２の基板８０９上に形成された層の表面に凹凸を有する場合は、距離ｄは、第１の基板８０７上の材料層８０８の表面と、第２の基板８０９或いは第２の基板８０９上に形成された層の最表面との間の最も短い距離で定義する。ここでは、距離ｄを２ｍｍとする。また、第２の基板８０９が石英基板のように硬く、ほとんど変形（反り、撓みなど）しない材料であれば、距離ｄは０ｍｍを下限として近づけることができる。また、図１６では基板間隔の制御は、基板支持機構を固定し、被成膜基板支持機構を移動させる例を示しているが、基板支持機構を移動させ、被成膜基板支持機構を固定する構成としてもよい。また、基板支持機構と被成膜基板支持機構の両方を移動させても良い。なお、図１６（Ａ）では、第２の基板支持手段８０５を移動させて、第１の基板と第２の基板を近づけて距離ｄとした段階の断面を示している。
【０１７１】
また、基板支持機構及び被成膜基板支持機構は、上下方向だけでなく、水平方向にも移動させる機構としてもよく、精密な位置合わせを行う構成としてもよい。また、精密な位置合わせや距離ｄの測定を行うため、成膜室８０１にＣＣＤなどのアライメント機構を設けてもよい。また、成膜室８０１内を測定する温度センサや、湿度センサなどを設けてもよい。
【０１７２】
光源８１０から光を成膜用基板に照射する。これにより、短時間に成膜用基板上の材料層８０８を加熱して気化させ、対向して配置された第２の基板８０９の被成膜面（即ち、下平面）に材料層８０８に含まれる有機化合物が成膜される。図１６（Ａ）に示す成膜装置において、予め第１の基板８０７に材料層８０８が均一な膜厚で得られていれば、膜厚モニターを設置しなくとも、第２の基板に膜厚均一性の高い成膜を行うことができる。また、従来の蒸着装置は、基板を回転させていたが、図１６（Ａ）に示す成膜装置は、被成膜基板を停止して成膜するため、割れやすい大面積のガラス基板への成膜に適している。また、図１６（Ａ）に示す成膜装置は、成膜用基板及び、被成膜基板ともに静止して成膜する。
【０１７３】
また、待機時の光源からの成膜用基板上の材料層８０８への熱の影響を緩和するため、待機時（蒸着処理前）は光源８１０と第１の基板８０７との間に断熱化のための開閉式のシャッターを設けてもよい。
【０１７４】
また、光源８１０は、短時間に均一な加熱を行える加熱手段であればよく、実施の形態２で示したレーザ光源やランプ光源を用いればよい。図１６では、光源８１０としてランプ光源を用いた場合を示している。
【０１７５】
また、図１６（Ａ）では、光源８１０を成膜室８０１内に設置する例を示しているが、成膜室の内壁の一部を透光性部材として、成膜室の外側に光源８１０を配置してもよい。成膜室８０１の外側に光源８１０を配置すると、光源８１０のライトバルブの交換などのメンテナンスを簡便なものとすることができる。
【０１７６】
また、図１６（Ｂ）は、第２の基板８０９の温度を調節する機構を備えた成膜装置の例を示す。図１６（Ｂ）において、図１６（Ａ）と共通の部分には同じ符号を用いて説明する。図１６（Ｂ）では、第２の基板支持手段８０５に熱媒体を流すチューブ８１１が設けられている。チューブ８１１に、熱媒体として冷媒を流すことにより、第２の基板支持手段８０５は、コールドプレートとすることができる。なお、チューブ８１１は、第２の基板支持手段８０５の上下移動に追随できるような仕組みとなっている。熱媒体としては、例えば、水やシリコンオイルなどを用いることができる。なお、ここでは冷媒ガスや、液体の冷媒を流すチューブを用いた例を示したが、冷却する手段として、ペルチェ素子などを第２の基板支持手段８０５に設けてもよい。また、冷却する手段ではなく、加熱する手段を設けてもよい。例えば、加熱するための熱媒体をチューブ８１１に流してもよい。
【０１７７】
異なる材料層を積層する場合に、図１６（Ｂ）の成膜装置は有用である。例えば、第２の基板に既に層が設けられている場合、その層よりも蒸着温度が高い有機化合物を含む層を積層することができる。図１６（Ａ）においては、第２の基板と第１の基板が近接するため、第２の基板に予め成膜されている層が、気化してしまう恐れがある。そこで、図１６（Ｂ）の成膜装置とすると、冷却機構によって第２の基板に予め成膜されている層の気化を抑えつつ、さらに有機化合物を含む層を積層することができる。
【０１７８】
また、冷却機構だけでなく、第２の基板支持手段８０５にヒーターなどの加熱手段を設けてもよい。第２の基板の温度を調節する機構（加熱または冷却）を設けることで、基板の反りなどを抑えることができる。
【０１７９】
なお、図１６（Ａ）および（Ｂ）には、被成膜基板の成膜面が下方となるフェイスダウン方式の成膜装置の例を示したが、図１７に示すようにフェイスアップ方式の成膜装置を適用することもできる。
【０１８０】
図１７（Ａ）において、成膜室９０１は、真空チャンバーであり、第１のゲート弁９０２、及び第２のゲート弁９０３によって他の処理室と連結している。また、成膜室９０１内には、第２の基板支持手段９０５である被成膜基板支持機構と、第１の基板支持手段９０４である基板支持機構と、光源９１０を少なくとも有している。
【０１８１】
成膜の手順は、まず、他の成膜室において、第１の基板９０７上に材料層９０８を形成する。本実施の形態において、第１の基板９０７は図６に示した第１の基板１０１に相当し、材料層９０８は図６に示した材料層１０５に相当する。ここでは、第１の基板９０７として、透光性を有する基板を用いる。なお、第１の基板９０７の形状は特に限定されない。第１の基板９０７は被成膜基板と面積が同じ、若しくはそれより大きい面積を有していることが好ましい。また、材料層９０８としては、蒸着可能である有機化合物を用いる。材料層９０８の形成方法は実施の形態１で示した方法を用いることができる。
【０１８２】
他の成膜室から第１の基板９０７を成膜室９０１に搬送し、基板支持機構にセットする。また、第１の基板９０７における材料層９０８の形成されている面と、第２の基板９０９の被成膜面とが、対向するように基板支持機構に第２の基板を固定する。また、図１７（Ａ）に示すように、この構成は、基板の被成膜面が上方となるからフェイスアップ方式の例を示している。フェイスアップ方式の場合、撓みやすい大面積のガラス基板をフラットな台に載せる、或いは複数のピンで支持することで基板のたわみをなくし、基板全面において均一な膜厚が得られる成膜装置とすることができる。
【０１８３】
第２の基板支持手段９０５を移動させて、第１の基板９０７と第２の基板９０９を近づけて距離ｄとする。なお、距離ｄは、第１の基板９０７に形成された材料層９０８の表面と、第２の基板９０９の表面との距離で定義する。また、第２の基板９０９上に何らかの層（例えば、電極として機能する導電層や隔壁として機能する絶縁層等）が形成されている場合、距離ｄは、第１の基板９０７の材料層９０８の表面と、第２の基板９０９上に形成された層の表面との距離で定義する。ただし、第２の基板９０９或いは第２の基板９０９に形成された層の表面に凹凸を有する場合は、距離ｄは、第１の基板９０７上の材料層９０８の表面と、第２の基板９０９或いは第２の基板９０９上に形成された層の最表面との間の最も短い距離で定義する。また、図１７では、基板支持機構を固定し、被成膜基板支持機構を移動させる例を示したが、基板支持機構を移動させ、被成膜基板支持機構を固定する構成としてもよい。また、基板支持機構と被成膜基板支持機構の両方を移動させて距離ｄを調節しても良い。
【０１８４】
図１７（Ａ）に示すように基板距離ｄを保持した状態で、光源９１０から支持基板に光を照射する。なお、均一な加熱が行われるように、光源９１０と支持基板は広い面積で接することが好ましい。
【０１８５】
光源９１０から光を支持基板に照射することにより、短時間に支持基板上の材料層９０８を加熱して気化させ、対向して配置された第２の基板９０９の被成膜面（即ち、上平面）に有機化合物が成膜される。このようにすることで、従来の大容量のチャンバーである蒸着装置に比べチャンバー容量を大幅に小さい小型の成膜装置を実現できる。
【０１８６】
また、光源は特に限定されず、短時間に均一な加熱を行える加熱手段であればよい。例えば、レーザ光源やランプ光源を用いればよい。図１７（Ａ）に示す例では、光源９１０では第２の基板の上方に固定して設けられており、光源９１０が点灯した直後に第２の基板９０９の上平面に成膜が行われる。
【０１８７】
なお、図１６（Ａ）、図１６（Ｂ）及び図１７（Ａ）は基板横置き方式の成膜装置の例を示したが、図１７（Ｂ）に示すように基板縦置き方式の成膜装置を適用することもできる。
【０１８８】
図１７（Ｂ）において、成膜室９５１は、真空チャンバーである。また、成膜室９５１内には、第１の基板支持手段９５４である基板支持機構と、第２の基板支持手段９５５である被成膜基板支持機構と、光源９６０と少なくとも有している。
【０１８９】
成膜室９５１は、図示しないが、被成膜基板が縦置きで搬送される第１の搬送室と連結している。また、図示しないが、支持基板が縦置きで搬送される第２の搬送室と連結している。また、本明細書では、基板面が水平面に対して垂直に近い角度（７０度乃至１１０度の範囲）にすることを基板の縦置きと呼ぶ。大面積のガラス基板などは撓みが生じやすいため、縦置きで搬送することが好ましい。
【０１９０】
また、光源９６０として、レーザよりもランプを用いて加熱するほうが、大面積のガラス基板に適している。
【０１９１】
成膜の手順は、まず、他の成膜室において、支持基板である第１の基板９５７の一方の面に材料層９５８を形成する。なお、第１の基板９５７は図６に示した第１の基板１０１に相当し、材料層９５８は図６に示した材料層１０５に相当する。
【０１９２】
次に、他の成膜室から第１の基板９５７を成膜室９５１に搬送し、基板支持機構にセットする。また、第１の基板９５７における材料層９５８の形成されている面と、第２の基板９５９の被成膜面とが、対向するように基板支持機構に第１の基板９５７を固定する。
【０１９３】
次に、基板距離ｄを保持した状態で、光源９６０から光を照射して支持基板を急速に加熱する。支持基板を急速に加熱すると、間接的な熱伝導により短時間に支持基板上の材料層９５８を加熱して気化させ、対向して配置された被成膜基板である第２の基板９５９の被成膜面に蒸着材料が成膜される。このようにすることで、従来の大容量のチャンバーである蒸着装置に比べチャンバー容量を大幅に小さい小型の成膜装置を実現できる。
【０１９４】
また、本実施の形態に示した成膜装置を複数設け、マルチチャンバー型の製造装置にすることができる。勿論、他の成膜方法の成膜装置との組み合わせも可能である。また、本実施の形態に示した成膜装置を直列に複数並べて、インライン型の製造装置にすることもできる。
【０１９５】
このような成膜装置を用い、本発明の一態様に係る発光装置を作製することが可能である。本発明の一態様を適用することで、成膜室内壁に蒸着材料が付着することも防止でき、成膜装置のメンテナンスを簡便にすることができる。
【０１９６】
なお、本実施の形態は、本明細書で示す他の実施の形態と適宜組み合わせることができる。
【０１９７】
（実施の形態６）
本実施の形態では、成膜用基板にレーザ光を照射させることにより成膜を行う成膜装置の例およびレーザ光を照射する方法について説明する。
【０１９８】
図１８はレーザを用いた成膜装置の一例を示す斜視図である。射出されるレーザ光はレーザ発振装置１８０３（ＹＡＧレーザ装置、エキシマレーザ装置など）から出力され、ビーム形状を矩形状とするための第１の光学系１８０４と、整形するための第２の光学系１８０５と、平行光線にするための第３の光学系１８０６とを通過し、反射ミラー１８０７で光路が成膜用基板である第１の基板１８０１に対して垂直となる方向に曲げられる。その後、成膜用基板にレーザビームを照射する。
【０１９９】
本実施の形態に示す成膜用基板の構成は、実施の形態１および実施の形態２で説明したものと同様であることとする。すなわち、第１の基板１８０１上にすくなくとも光吸収層および材料層１８１５などが形成された構成を有する。図１８では、一例として、反射層を有する成膜用基板を示す。反射層には、開口部１８１４が形成されている。なお、図１８では、開口部１８１４がストライプ状の場合を示したが、これに限定されず、開口部は所望の形状に形成することができる。例えば、ドット状であってもよいし、第１の基板に設けられた第１の電極の形状と同じ形状としてもよい。
【０２００】
次に、第１の基板１８０１の材料層１８１５が設けられた面を上となるようにし、第２の基板１８００の被成膜面と対向させる。位置合わせ手段により第２の基板１８００と第１の基板１８０１は位置合わせ（アライメント）が行われ、一定の間隔ｄ、少なくとも５ｍｍ以下をあけて保持する。
【０２０１】
また、第２の基板１８００には予め複数の第１の電極が設けられているが、さらに第１の電極間を電気的に絶縁するための隔壁となる絶縁物が設けられている場合には、絶縁物と材料層１８１５を接触させて配置してもよい。
【０２０２】
一定の間隔ｄに保持したまま、一対の基板を移動させてレーザ光を走査する。ここでは、基板移動手段により、長方形の窓１８２０の長辺方向または短辺方向に一対の基板を移動させる。また、ここでは基板を移動してレーザ光を走査する例を示すが、特に限定されず、基板を固定し、レーザ光を移動させて走査を行ってもよい。
【０２０３】
また、第１の基板１８０１には、光吸収層と同じ材料で位置マーカ１８１２が設けられており、位置マーカ１８１２を認識するための撮像素子１８０８によって走査の基準位置を認識させる。ＣＣＤなどの撮像素子１８０８の視野を遮らないような装置構成とすることが好ましい。なお、第１の基板１８０１の下方からの認識となるため、補助するための照明光を第１の基板１８０１に照射してもよい。撮像素子１８０８は、窓１８２０を介して位置マーカ１８１２を認識している例を示したが特に限定されず、別途窓を設けてもよいし、チャンバー内部に撮像素子を設ける構成としてもよい。
【０２０４】
射出されるレーザ光はレーザ発振装置１８０３から出力され、ビーム形状を矩形状とするための第１の光学系１８０４と、整形するための第２の光学系１８０５と、平行光線にするための第３の光学系１８０６とを通過し、反射ミラー１８０７で光路が第１の基板１８０１に対して垂直となる方向に曲げられる。その後、光透過する窓１８２０及び第１の基板１８０１にレーザビームを通過させて、レーザビームを光吸収層に照射する。窓１８２０をレーザビーム幅と同じまたはそれより小さいサイズとしてスリットとして機能させることもできる。
【０２０５】
光源から発せられるレーザ光としては、種々のレーザ光を用いることができる。また、レーザ光の波長は特に限定されず、様々な波長のレーザ光を用いることができる。例えば、３５５、５１５、５３２、１０３０、１０６４ｎｍなどの波長のレーザ光を用いることができる。
【０２０６】
また、レーザ光源としては、Ａｒレーザ、Ｋｒレーザ、エキシマレーザなどの気体レーザ、単結晶のＹＡＧ、ＹＶＯ４、フォルステライト（Ｍｇ２ＳｉＯ４）、ＹＡｌＯ３、ＧｄＶＯ４、若しくは多結晶（セラミック）のＹＡＧ、Ｙ２Ｏ３、ＹＶＯ４、ＹＡｌＯ３、ＧｄＶＯ４に、ドーパントとしてＮｄ、Ｙｂ、Ｃｒ、Ｔｉ、Ｈｏ、Ｅｒ、Ｔｍ、Ｔａのうち１種または複数種添加されているものを媒質とするレーザ、ガラスレーザ、ルビーレーザ、アレキサンドライトレーザ、Ｔｉ：サファイアレーザ、ファイバーレーザ等の固体レーザのうち一種または複数種から発振されるものを用いることができる。また、上記固体レーザから発振される第２高調波や第３高調波、さらに高次の高調波を用いることもできる。なお、レーザ媒体が固体である固体レーザを用いると、メンテナンスフリーの状態を長く保てるという利点や、出力が比較的に安定している利点を有している。また、レーザ光は、パルス発振であっても連続発振であってもよい。
【０２０７】
また、成膜用基板である第１の基板１８０１に照射されるレーザビームの形状は、矩形状または線状とすることが好ましく、例えば、短辺が１ｍｍ〜５ｍｍ、且つ長辺が１０ｍｍ〜５０ｍｍの矩形状とすればよい。また、大面積基板を用いる場合には、処理時間を短縮するため、レーザビームの長辺を２０ｃｍ〜１００ｃｍとすることが好ましい。また、図１８に示すレーザ発振装置及び光学系を複数設置して大面積の基板を短時間に処理してもよい。具体的には、複数のレーザ発振装置からレーザビームをそれぞれ照射して基板１枚における処理面積を分担してもよい。
【０２０８】
また、制御装置１８１６は、一対の基板を移動させる基板移動手段も制御できるように連動させることが好ましい。さらに、制御装置１８１６は、レーザ発振装置１８０３も制御できるように連動させることが好ましい。さらに、制御装置１８１６は、位置マーカ１８１２を認識するための撮像素子１８０８を有する位置アライメント機構と連動させることが好ましい。
【０２０９】
レーザ光の走査が終わると、第１の基板１８０１においては、光吸収層と重なる材料層１８１５が消失し、対向して配置されていた第２の基板１８００に選択的に成膜が行われる。なお、第１の基板１８０１において、光吸収層と重ならない材料層１８１５は残存したままである。レーザ光の走査を終えた第１の基板１８０１は回収し、残存した材料層を除去すれば、再度使用することができる。
【０２１０】
なお、図１８は一例であり、レーザ光の光路に配置する各光学系や電気光学素子の位置関係は特に限定されない。例えば、レーザ発振装置１８０３を成膜用基板である第１の基板１８０１の下方に配置し、レーザ発振装置１８０３から射出するレーザ光が第１の基板１８０１の主平面に垂直な方向となるように配置すれば、反射ミラーを用いずともよい。また、各光学系は、集光レンズ、ビームエキスパンダ、ホモジナイザ、または偏光子などを用いればよく、これらを組み合わせてもよい。また、各光学系にスリットを組み合わせてもよい。
【０２１１】
被照射面上でレーザビームの照射領域を２次元的に、適宜、走査させることによって、基板の広い面積に照射を行う。走査するために、レーザビームの照射領域と基板とを相対的に移動させる。ここでは、基板を保持している基板ステージをＸＹ方向に移動させる移動手段（図示しない）で走査を行う。
【０２１２】
図１８に示す成膜装置を用いて成膜を行う場合には、少なくとも成膜用基板である第１の基板１８０１と被成膜基板である第２の基板１８００を真空チャンバー内に配置する。また、図１８に示す構成を全て真空チャンバー内に設置してもよい。
【０２１３】
また、図１８に示す成膜装置は、被成膜基板である第２の基板１８００の被成膜面が下を向いた、所謂フェイスダウン方式の成膜装置の例を示しているが、フェイスアップ方式の成膜装置とすることもできる。また、被成膜基板が大面積基板である場合、基板の自重により基板の中心が撓んでしまうことを抑えるために、被成膜基板の主平面を水平面に対して垂直に立てる、所謂縦置き方式の装置とすることもできる。
【０２１４】
また、本実施の形態に示した成膜装置を複数設け、マルチチャンバー型の製造装置にすることができる。勿論、他の成膜方法の成膜装置との組み合わせも可能である。また、本実施の形態に示した成膜装置を直列に複数並べて、インライン型の製造装置にすることもできる。
【０２１５】
このような成膜装置を用い、本発明の一態様に係る発光装置を作製することが可能である。本発明の一態様を適用することで、成膜室内壁に蒸着材料が付着することも防止でき、成膜装置のメンテナンスを簡便にすることができる。
【０２１６】
なお、本実施の形態に示す構成は、他の実施の形態に示す構成と適宜組み合わせて用いることができる。
【０２１７】
（実施の形態７）
本実施の形態では、本発明の一態様を適用して作製することができる発光素子および発光装置について説明する。
【０２１８】
本発明の一態様を適用して、例えば、図１９（Ａ）、（Ｂ）に示す発光素子を作製することができる。図１９（Ａ）に示す発光素子は、基板１９０１上に第１の電極１９０２、発光層１９１３のみで形成されたＥＬ層１９０３、第２の電極１９０４が順に積層して設けられている。第１の電極１９０２及び第２の電極１９０４のいずれか一方は陽極として機能し、他方は陰極として機能する。陽極から注入される正孔及び陰極から注入される電子がＥＬ層１９０３で再結合して、発光を得ることができる。本実施の形態において、第１の電極１９０２は陽極として機能する電極であり、第２の電極１９０４は陰極として機能する電極であるとする。
【０２１９】
また、図１９（Ｂ）に示す発光素子は、図１９（Ａ）のＥＬ層１９０３が複数の層が積層された構造である場合を示している。具体的には、第１の電極１９０２側から正孔注入層１９１１、正孔輸送層１９１２、発光層１９１３、電子輸送層１９１４、および電子注入層１９１５が順次設けられている。なお、ＥＬ層１９０３は、図１９（Ａ）に示すように、少なくとも発光層１９１３を有していれば機能するため、これらの層を全て設ける必要はなく、必要に応じて適宜選択して設ければよい。
【０２２０】
図１９に示す基板１９０１には、絶縁表面を有する基板または絶縁基板を適用する。具体的には、アルミノシリケートガラス、アルミノホウケイ酸ガラス、バリウムホウケイ酸ガラスのような電子工業用に使われる各種ガラス基板、石英基板、セラミック基板又はサファイヤ基板等を用いることができる。
【０２２１】
また、第１の電極１９０２および第２の電極１９０４は、様々な金属、合金、導電性化合物、およびこれらの混合物などを用いることができる。具体的には、例えば、酸化インジウム−酸化スズ（ＩＴＯ：Ｉｎｄｉｕｍ  Ｔｉｎ  Ｏｘｉｄｅ）、珪素若しくは酸化珪素を含有した酸化インジウム−酸化スズ、酸化インジウム−酸化亜鉛（ＩＺＯ：Ｉｎｄｉｕｍ  Ｚｉｎｃ  Ｏｘｉｄｅ）、酸化タングステン及び酸化亜鉛を含有した酸化インジウム等が挙げられる。この他、金（Ａｕ）、白金（Ｐｔ）、ニッケル（Ｎｉ）、タングステン（Ｗ）、クロム（Ｃｒ）、モリブデン（Ｍｏ）、鉄（Ｆｅ）、コバルト（Ｃｏ）、銅（Ｃｕ）、パラジウム（Ｐｄ）、または金属材料の窒化物（例えば、窒化チタン）等が挙げられる。
【０２２２】
これらの材料は、通常はスパッタリング法により成膜される。例えば、酸化インジウム−酸化亜鉛は、酸化インジウムに対し１〜２０ｗｔ％の酸化亜鉛を加えたターゲットを用いてスパッタリング法により形成することができる。また、酸化タングステン及び酸化亜鉛を含有した酸化インジウムは、酸化インジウムに対し酸化タングステンを０．５〜５ｗｔ％、酸化亜鉛を０．１〜１ｗｔ％含有したターゲットを用いてスパッタリング法により形成することができる。その他、ゾル−ゲル法などを応用して、インクジェット法、スピンコート法などにより作製してもよい。
【０２２３】
また、アルミニウム（Ａｌ）、銀（Ａｇ）、アルミニウムを含む合金等を用いることができる。その他、仕事関数の小さい材料である、元素周期表の第１族または第２族に属する元素、すなわちリチウム（Ｌｉ）やセシウム（Ｃｓ）等のアルカリ金属、およびマグネシウム（Ｍｇ）、カルシウム（Ｃａ）、ストロンチウム（Ｓｒ）等のアルカリ土類金属、およびこれらを含む合金（アルミニウム、マグネシウムと銀との合金、アルミニウムとリチウムの合金）、ユーロピウム（Ｅｕ）、イッテルビウム（Ｙｂ）等の希土類金属およびこれらを含む合金等を用いることもできる。
【０２２４】
アルカリ金属、アルカリ土類金属、これらを含む合金の膜は、真空蒸着法を用いて形成することができる。また、アルカリ金属またはアルカリ土類金属を含む合金はスパッタリング法により形成することも可能である。また、銀ペーストなどをインクジェット法などにより成膜することも可能である。また、第１の電極１９０２および第２の電極１９０４は、単層膜に限らず、積層膜で形成することもできる。
【０２２５】
なお、ＥＬ層１９０３で発光する光を外部に取り出すため、第１の電極１９０２または第２の電極１９０４のいずれか一方、または両方が光を通過するように形成する。例えば、インジウム錫酸化物等の透光性を有する導電材料を用いて形成するか、或いは、銀、アルミニウム等を数ｎｍ乃至数十ｎｍの厚さとなるように形成する。また、膜厚を薄くした銀、アルミニウムなどの金属薄膜と、酸化インジウム−酸化スズ（ＩＴＯ：Ｉｎｄｉｕｍ  Ｔｉｎ  Ｏｘｉｄｅ）膜等の透光性を有する導電材料を用いた薄膜との積層構造とすることもできる。
【０２２６】
なお、本実施の形態で示す発光素子のＥＬ層１９０３（正孔注入層１９１１、正孔輸送層１９１２、発光層１９１３、電子輸送層１９１４又は電子注入層１９１５）は、実施の形態１〜実施の形態２で示した成膜方法を適用して形成することができる。なお、本発明の一態様において、ＥＬ層の少なくとも一層に実施の形態１及び実施の形態２で示した成膜方法を用いていればよく、他の層の形成方法は特に限定されない。
【０２２７】
例えば、図１９（Ａ）に示す発光素子を形成する場合、実施の形態１及び実施の形態２で示した成膜用基板の材料層を、発光層１９１３を構成する材料で形成し、この成膜用基板を用いて基板１９０１上の第１の電極１９０２上に発光層１９１３を形成する。そして、発光層１９１３上に第２の電極１９０４を形成することにより、図１９（Ａ）に示す発光素子を得ることができる。
【０２２８】
発光層１９１３としては種々の材料を用いることができる。例えば、蛍光を発光する蛍光性化合物や燐光を発光する燐光性化合物を用いることができる。
【０２２９】
発光層１９１３に用いることのできる燐光性化合物としては、例えば、青色系の発光材料として、ビス［２−（４’，６’−ジフルオロフェニル）ピリジナト−Ｎ，Ｃ２’］イリジウム（ＩＩＩ）テトラキス（１−ピラゾリル）ボラート（略称：ＦＩｒ６）、ビス［２−（４’，６’−ジフルオロフェニル）ピリジナト−Ｎ，Ｃ２’］イリジウム（ＩＩＩ）ピコリナート（略称：ＦＩｒｐｉｃ）、ビス［２−（３’，５’ビストリフルオロメチルフェニル）ピリジナト−Ｎ，Ｃ２’］イリジウム（ＩＩＩ）ピコリナート（略称：Ｉｒ（ＣＦ３ｐｐｙ）２（ｐｉｃ））、ビス［２−（４’，６’−ジフルオロフェニル）ピリジナト−Ｎ，Ｃ２’］イリジウム（ＩＩＩ）アセチルアセトナート（略称：ＦＩｒａｃａｃ）などが挙げられる。また、緑色系の発光材料として、トリス（２−フェニルピリジナト−Ｎ，Ｃ２’）イリジウム（ＩＩＩ）（略称：Ｉｒ（ｐｐｙ）３）、ビス（２−フェニルピリジナト−Ｎ，Ｃ２’）イリジウム（ＩＩＩ）アセチルアセトナート（略称：Ｉｒ（ｐｐｙ）２（ａｃａｃ））、ビス（１，２−ジフェニル−１Ｈ−ベンゾイミダゾラト）イリジウム（ＩＩＩ）アセチルアセトナート（略称：Ｉｒ（ｐｂｉ）２（ａｃａｃ））、ビス（ベンゾ［ｈ］キノリナト）イリジウム（ＩＩＩ）アセチルアセトナート（略称：Ｉｒ（ｂｚｑ）２（ａｃａｃ））などが挙げられる。また、黄色系の発光材料として、ビス（２，４−ジフェニル−１，３−オキサゾラト−Ｎ，Ｃ２’）イリジウム（ＩＩＩ）アセチルアセトナート（略称：Ｉｒ（ｄｐｏ）２（ａｃａｃ））、ビス［２−（４’−パーフルオロフェニルフェニル）ピリジナト］イリジウム（ＩＩＩ）アセチルアセトナート（略称：Ｉｒ（ｐ−ＰＦ−ｐｈ）２（ａｃａｃ））、ビス（２−フェニルベンゾチアゾラト−Ｎ，Ｃ２’）イリジウム（ＩＩＩ）アセチルアセトナート（略称：Ｉｒ（ｂｔ）２（ａｃａｃ））などが挙げられる。また、橙色系の発光材料として、トリス（２−フェニルキノリナト−Ｎ，Ｃ２’）イリジウム（ＩＩＩ）（略称：Ｉｒ（ｐｑ）３）、ビス（２−フェニルキノリナト−Ｎ，Ｃ２’）イリジウム（ＩＩＩ）アセチルアセトナート（略称：Ｉｒ（ｐｑ）２（ａｃａｃ））などが挙げられる。また、赤色系の発光材料として、ビス［２−（２’−ベンゾ［４，５−α］チエニル）ピリジナト−Ｎ，Ｃ３’］イリジウム（ＩＩＩ）アセチルアセトナート（略称：Ｉｒ（ｂｔｐ）２（ａｃａｃ））、ビス（１−フェニルイソキノリナト−Ｎ，Ｃ２’）イリジウム（ＩＩＩ）アセチルアセトナート（略称：Ｉｒ（ｐｉｑ）２（ａｃａｃ））、（アセチルアセトナト）ビス［２，３−ビス（４−フルオロフェニル）キノキサリナト］イリジウム（ＩＩＩ）（略称：Ｉｒ（Ｆｄｐｑ）２（ａｃａｃ））、２，３，７，８，１２，１３，１７，１８−オクタエチル−２１Ｈ，２３Ｈ−ポルフィリン白金（ＩＩ）（略称：ＰｔＯＥＰ）等の有機金属錯体が挙げられる。また、トリス（アセチルアセトナト）（モノフェナントロリン）テルビウム（ＩＩＩ）（略称：Ｔｂ（ａｃａｃ）３（Ｐｈｅｎ））、トリス（１，３−ジフェニル−１，３−プロパンジオナト）（モノフェナントロリン）ユーロピウム（ＩＩＩ）（略称：Ｅｕ（ＤＢＭ）３（Ｐｈｅｎ））���トリス［１−（２−テノイル）−３，３，３−トリフルオロアセトナト］（モノフェナントロリン）ユーロピウム（ＩＩＩ）（略称：Ｅｕ（ＴＴＡ）３（Ｐｈｅｎ））等の希土類金属錯体は、希土類金属イオンからの発光（異なる多重度間の電子遷移）であるため、燐光性化合物として用いることができる。
【０２３０】
発光層１９１３に用いることのできる蛍光性化合物としては、例えば、青色系の発光材料として、Ｎ，Ｎ’−ビス［４−（９Ｈ−カルバゾール−９−イル）フェニル］−Ｎ，Ｎ’−ジフェニルスチルベン−４，４’−ジアミン（略称：ＹＧＡ２Ｓ）、４−（９Ｈ−カルバゾール−９−イル）−４’−（１０−フェニル−９−アントリル）トリフェニルアミン（略称：ＹＧＡＰＡ）などが挙げられる。また、緑色系の発光材料として、Ｎ−（９，１０−ジフェニル−２−アントリル）−Ｎ，９−ジフェニル−９Ｈ−カルバゾール−３−アミン（略称：２ＰＣＡＰＡ）、Ｎ−［９，１０−ビス（１，１’−ビフェニル−２−イル）−２−アントリル］−Ｎ，９−ジフェニル−９Ｈ−カルバゾール−３−アミン（略称：２ＰＣＡＢＰｈＡ）、Ｎ−（９，１０−ジフェニル−２−アントリル）−Ｎ，Ｎ’，Ｎ’−トリフェニル−１，４−フェニレンジアミン（略称：２ＤＰＡＰＡ）、Ｎ−［９，１０−ビス（１，１’−ビフェニル−２−イル）−２−アントリル］−Ｎ，Ｎ’，Ｎ’−トリフェニル−１，４−フェニレンジアミン（略称：２ＤＰＡＢＰｈＡ）、９，１０−ビス（１，１’−ビフェニル−２−イル）−Ｎ−［４−（９Ｈ−カルバゾール−９−イル）フェニル］−Ｎ−フェニルアントラセン−２−アミン（略称：２ＹＧＡＢＰｈＡ）、Ｎ，Ｎ，９−トリフェニルアントラセン−９−アミン（略称：ＤＰｈＡＰｈＡ）などが挙げられる。また、黄色系の発光材料として、ルブレン、５，１２−ビス（１，１’−ビフェニル−４−イル）−６，１１−ジフェニルテトラセン（略称：ＢＰＴ）などが挙げられる。また、赤色系の発光材料として、Ｎ，Ｎ，Ｎ’，Ｎ’−テトラキス（４−メチルフェニル）テトラセン−５，１１−ジアミン（略称：ｐ−ｍＰｈＴＤ）、７，１３−ジフェニル−Ｎ，Ｎ，Ｎ’，Ｎ’−テトラキス（４−メチルフェニル）アセナフト［１，２−ａ］フルオランテン−３，１０−ジアミン（略称：ｐ−ｍＰｈＡＦＤ）などが挙げられる。
【０２３１】
また、発光層１９１３として、発光性の高い物質（ドーパント材料）を他の物質（ホスト材料）に分散させた構成を用いることもできる。発光性の高い物質（ドーパント材料）を他の物質（ホスト材料）に分散させた構成を用いるにより、発光層の結晶化を抑制することができる。また、発光性の高い物質の濃度が高いことによる濃度消光を抑制することができる。
【０２３２】
発光性の高い物質を分散させる物質としては、発光性の高い物質が蛍光性化合物の場合には、蛍光性化合物よりも一重項励起エネルギー（基底状態と一重項励起状態とのエネルギー差）が大きい物質を用いることが好ましい。また、発光性の高い物質が燐光性化合物の場合には、燐光性化合物よりも三重項励起エネルギー（基底状態と三重項励起状態とのエネルギー差）が大きい物質を用いることが好ましい。
【０２３３】
発光層１９１３に用いるホスト材料としては、例えば４，４’−ビス［Ｎ−（１−ナフチル）−Ｎ−フェニルアミノ］ビフェニル（略称：ＮＰＢ）、トリス（８−キノリノラト）アルミニウム（ＩＩＩ）（略称：Ａｌｑ）、４，４’−ビス［Ｎ−（９，９−ジメチルフルオレン−２−イル）−Ｎ−フェニルアミノ］ビフェニル（略称：ＤＦＬＤＰＢｉ）、ビス（２−メチル−８−キノリノラト）（４−フェニルフェノラト）アルミニウム（ＩＩＩ）（略称：ＢＡｌｑ）などの他、４，４’−ジ（９−カルバゾリル）ビフェニル（略称：ＣＢＰ）、２−ｔｅｒｔ−ブチル−９，１０−ジ（２−ナフチル）アントラセン（略称：ｔ−ＢｕＤＮＡ）、９−［４−（９−カルバゾリル）フェニル］−１０−フェニルアントラセン（略称：ＣｚＰＡ）などが挙げられる。
【０２３４】
また、ドーパント材料としては、上述した燐光性化合物や蛍光性化合物を用いることができる。
【０２３５】
発光層１９１３として、発光性の高い物質（ドーパント材料）を他の物質（ホスト材料）に分散させた構成を用いる場合には、成膜用基板上の材料層として、ホスト材料とゲスト材料とを混合した層を形成すればよい。または、成膜用基板上の材料層として、ホスト材料を含む層とドーパント材料を含む層とが積層した構成としてもよい。このような構成の材料層を有する成膜用基板を用いて発光層１９１３を形成することにより、発光層１９１３は、発光材料を分散させる物質（ホスト材料）に発光性の高い物質（ドーパント材料）が分散された構成となる。なお、発光層１９１３として、２種類以上のホスト材料とドーパント材料を用いてもよいし、２種類以上のドーパント材料とホスト材料を用いてもよい。また、２種類以上のホスト材料及び２種類以上のドーパント材料を用いてもよい。
【０２３６】
また、図１９（Ｂ）に示す発光素子を形成する場合には、ＥＬ層１９０３（正孔注入層１９１１、正孔輸送層１９１２、発光層１９１３、電子輸送層１９１４、および電子注入層１９１５）のそれぞれの層を形成するための材料層を有する成膜用基板を各層毎に用意する（実施の形態１及び実施の形態２参照）。そして、各層の成膜毎に異なる成膜用基板を用いて、実施の形態１及び実施の形態２で示した方法により、基板１９０１上の第１の電極１９０２上にＥＬ層１９０３を形成することができる。そして、ＥＬ層１９０３上に第２の電極１９０４を形成することにより、図１９（Ｂ）に示す発光素子を得ることができる。
【０２３７】
例えば、正孔注入層１９１１としては、モリブデン酸化物やバナジウム酸化物、ルテニウム酸化物、タングステン酸化物、マンガン酸化物等を用いることができる。この他、フタロシアニン（略称：Ｈ２Ｐｃ）や銅フタロシアニン（略称：ＣｕＰｃ）等のフタロシアニン系の化合物等によっても正孔注入層を形成することができる。
【０２３８】
また、正孔注入層１９１１として、正孔輸送性の高い物質と電子受容性を示す物質を含む層を用いることができる。正孔輸送性の高い物質と電子受容性を示す物質とを含む層は、キャリア密度が高く、正孔注入性に優れている。また、正孔輸送性の高い物質と電子受容性を示す物質とを含む層を、陽極側の電極に接する正孔注入層として用いると、電極材料の仕事関数の大小に関わらず、様々な金属、合金、電気伝導性化合物、およびこれらの混合物などを陽極材料に用いることができる。
【０２３９】
正孔輸送性の高い物質と電子受容性を示す物質を含む層は、例えば、正孔輸送性の高い物質を含む層と電子受容性を示す物質を含む層とが積層された材料層を有する成膜用基板を用いることにより形成することができる。
【０２４０】
正孔注入層１９１１に用いる電子受容性を示す物質としては、７，７，８，８−テトラシアノ−２，３，５，６−テトラフルオロキノジメタン（略称：Ｆ４−ＴＣＮＱ）、クロラニル等を挙げることができる。また、遷移金属酸化物を挙げることができる。また元素周期表における第４族から第８族に属する金属の酸化物を挙げることができる。具体的には、電子受容性が高い酸化バナジウム、酸化ニオブ、酸化タンタル、酸化クロム、酸化モリブデン、酸化タングステン、酸化マンガン、酸化レニウムを用いると好ましい。中でも特に、大気中でも安定であり、吸湿性が低く、扱いやすい酸化モリブデンが好ましい。
【０２４１】
正孔注入層１９１１に用いる正孔輸送性の高い物質としては、芳香族アミン化合物、カルバゾール誘導体、芳香族炭化水素など、種々の化合物を用いることができる。なお、正孔注入層に用いる正孔輸送性の高い物質としては、１０−６ｃｍ２／Ｖｓ以上の正孔移動度を有する物質であることが好ましい。但し、電子よりも正孔の輸送性の高い物質であれば、これら以外のものを用いてもよい。以下に、正孔注入層１９１１に用いることのできる正孔の輸送性の高い物質を具体的に列挙する。
【０２４２】
例えば、正孔注入層１９１１に用いることのできる芳香族アミン化合物としては、例えば、４，４’−ビス［Ｎ−（１−ナフチル）−Ｎ−フェニルアミノ］ビフェニル（略称：ＮＰＢ）やＮ，Ｎ’−ビス（３−メチルフェニル）−Ｎ，Ｎ’−ジフェニル−［１，１’−ビフェニル］−４，４’−ジアミン（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−（スピロ−９，９’−ビフルオレン−２−イル）−Ｎ―フェニルアミノ］ビフェニル（略称：ＢＳＰＢ）等を用いることができる。また、Ｎ，Ｎ’−ビス（４−メチルフェニル）（ｐ−トリル）−Ｎ，Ｎ’−ジフェニル−ｐ−フェニレンジアミン（略称：ＤＴＤＰＰＡ）、４，４’−ビス［Ｎ−（４−ジフェニルアミノフェニル）−Ｎ−フェニルアミノ］ビフェニル（略称：ＤＰＡＢ）、４，４’−ビス（Ｎ−｛４−［Ｎ’−（３−メチルフェニル）−Ｎ’−フェニルアミノ］フェニル｝−Ｎ−フェニルアミノ）ビフェニル（略称：ＤＮＴＰＤ）、１，３，５−トリス［Ｎ−（４−ジフェニルアミノフェニル）−Ｎ−フェニルアミノ］ベンゼン（略称：ＤＰＡ３Ｂ）等を挙げることができる。
【０２４３】
正孔注入層１９１１に用いることのできるカルバゾール誘導体としては、具体的には、３−［Ｎ−（９−フェニルカルバゾール−３−イル）−Ｎ−フェニルアミノ］−９−フェニルカルバゾール（略称：ＰＣｚＰＣＡ１）、３，６−ビス［Ｎ−（９−フェニルカルバゾール−３−イル）−Ｎ−フェニルアミノ］−９−フェニルカルバゾール（略称：ＰＣｚＰＣＡ２）、３−［Ｎ−（１−ナフチル）−Ｎ−（９−フェニルカルバゾール−３−イル）アミノ］−９−フェニルカルバゾール（略称：ＰＣｚＰＣＮ１）等を挙げることができる。
【０２４４】
また、正孔注入層１９１１に用いることのできるカルバゾール誘導体としては、４，４’−ジ（Ｎ−カルバゾリル）ビフェニル（略称：ＣＢＰ）、１，３，５−トリス［４−（Ｎ−カルバゾリル）フェニル］ベンゼン（略称：ＴＣＰＢ）、９−［４−（１０−フェニル−９−アントリル）フェニル］−９Ｈ−カルバゾール（略称：ＣｚＰＡ）、１，４−ビス［４−（Ｎ−カルバゾリル）フェニル］−２，３，５，６−テトラフェニルベンゼン等を用いることができる。
【０２４５】
また、正孔注入層１９１１に用いることのできる芳香族炭化水素としては、例えば、２−ｔｅｒｔ−ブチル−９，１０−ジ（２−ナフチル）アントラセン（略称：ｔ−ＢｕＤＮＡ）、２−ｔｅｒｔ−ブチル−９，１０−ジ（１−ナフチル）アントラセン、９，１０−ビス（３，５−ジフェニルフェニル）アントラセン（略称：ＤＰＰＡ）、２−ｔｅｒｔ−ブチル−９，１０−ビス（４−フェニルフェニル）アントラセン（略称：ｔ−ＢｕＤＢＡ）、９，１０−ジ（２−ナフチル）アントラセン（略称：ＤＮＡ）、９，１０−ジフェニルアントラセン（略称：ＤＰＡｎｔｈ）、２−ｔｅｒｔ−ブチルアントラセン（略称：ｔ−ＢｕＡｎｔｈ）、９，１０−ビス（４−メチル−１−ナフチル）アントラセン（略称：ＤＭＮＡ）、９，１０−ビス［２−（１−ナフチル）フェニル］−２−ｔｅｒｔ−ブチル−アントラセン、９，１０−ビス［２−（１−ナフチル）フェニル］アントラセン、２，３，６，７−テトラメチル−９，１０−ジ（１−ナフチル）アントラセン、２，３，６，７−テトラメチル−９，１０−ジ（２−ナフチル）アントラセン、９，９’−ビアントリル、１０，１０’−ジフェニル−９，９’−ビアントリル、１０，１０’−ビス（２−フェニルフェニル）−９，９’−ビアントリル、１０，１０’−ビス［（２，３，４，５，６−ペンタフェニル）フェニル］−９，９’−ビアントリル、アントラセン、テトラセン、ルブレン、ペリレン、２，５，８，１１−テトラ（ｔｅｒｔ−ブチル）ペリレン等が挙げられる。また、この他、ペンタセン、コロネン等も用いることができる。このように、１×１０−６ｃｍ２／Ｖｓ以上の正孔移動度を有し、炭素数１４〜４２である芳香族炭化水素を用いることがより好ましい。
【０２４６】
なお、正孔注入層１９１１に用いることのできる芳香族炭化水素は、ビニル骨格を有していてもよい。ビニル基を有している芳香族炭化水素としては、例えば、４，４’−ビス（２，２−ジフェニルビニル）ビフェニル（略称：ＤＰＶＢｉ）、９，１０−ビス［４−（２，２−ジフェニルビニル）フェニル］アントラセン（略称：ＤＰＶＰＡ）等が挙げられる。
【０２４７】
これら正孔輸送性の高い物質を含む層と、電子受容性を示す物質を含む層とが積層された材料層を有する成膜用基板を用いることで、正孔注入層１９１１を形成することができる。電子受容性を示す物質として金属酸化物を用いた場合には、成膜用基板上に正孔輸送性の高い物質を含む層を形成した後、金属酸化物を含む層を形成することが好ましい。金属酸化物は、正孔輸送性の高い物質よりも蒸着可能温度が高い場合が多いためである。このような構成の成膜用基板とすることにより、正孔輸送性の高い物質と金属酸化物とを効率良く成膜することができる。また、成膜した膜において局所的な濃度の偏りを抑制することができる。また、正孔輸送性の高い物質と金属酸化物の両方を溶解させる溶媒、または分散させる溶媒は種類が少なく、混合溶液を形成しにくい。よって、湿式法を用いて混合層を直接形成することは困難である。しかし、本発明の一態様である成膜方法を用いることにより、正孔輸送性の高い物質と金属酸化物とを含む混合層を容易に形成することができる。
【０２４８】
また、正孔輸送性の高い物質と電子受容性を示す物質とを含む層は、正孔注入性だけでなく、正孔輸送性も優れているため、上述した正孔注入層１９１１を正孔輸送層として用いてもよい。
【０２４９】
また、正孔輸送層１９１２は、正孔輸送性の高い物質を含む層であり、正孔輸送性の高い物質としては、例えば、４，４’−ビス［Ｎ−（１−ナフチル）−Ｎ−フェニルアミノ］ビフェニル（略称：ＮＰＢ）やＮ，Ｎ’−ビス（３−メチルフェニル）−Ｎ，Ｎ’−ジフェニル−［１，１’−ビフェニル］−４，４’−ジアミン（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−（スピロ−９，９’−ビフルオレン−２−イル）−Ｎ―フェニルアミノ］ビフェニル（略称：ＢＳＰＢ）などの芳香族アミン化合物等を用いることができる。ここに述べた物質は、主に１０−６ｃｍ２／Ｖｓ以上の正孔移動度を有する物質である。但し、電子よりも正孔の輸送性の高い物質であれば、これら以外のものを用いてもよい。なお、正孔輸送性の高い物質を含む層は、単層のものだけでなく、上記物質からなる層が二層以上積層したものとしてもよい。
【０２５０】
電子輸送層１９１４は、電子輸送性の高い物質を含む層であり、例えば、トリス（８−キノリノラト）アルミニウム（略称：Ａｌｑ）、トリス（４−メチル−８−キノリノラト）アルミニウム（略称：Ａｌｍｑ３）、ビス（１０−ヒドロキシベンゾ［ｈ］キノリナト）ベリリウム（略称：ＢｅＢｑ２）、ビス（２−メチル−８−キノリノラト）（４−フェニルフェノラト）アルミニウム（略称：ＢＡｌｑ）など、キノリン骨格またはベンゾキノリン骨格を有する金属錯体等を用いることができる。また、この他ビス［２−（２−ヒドロキシフェニル）ベンズオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）などのオキサゾール系、チアゾール系配位子を有する金属錯体なども用いることができる。さらに、金属錯体以外にも、２−（４−ビフェニリル）−５−（４−ｔｅｒｔ−ブチルフェニル）−１，３，４−オキサジアゾール（略称：ＰＢＤ）や、１，３−ビス［５−（ｐ−ｔｅｒｔ−ブチルフェニル）−１，３，４−オキサジアゾール−２−イル］ベンゼン（略称：ＯＸＤ−７）、３−（４−ビフェニリル）−４−フェニル−５−（４−ｔｅｒｔ−ブチルフェニル）−１，２，４−トリアゾール（略称：ＴＡＺ０１）バソフェナントロリン（略称：ＢＰｈｅｎ）、バソキュプロイン（略称：ＢＣＰ）なども用いることができる。ここに述べた物質は、主に１０−６ｃｍ２／Ｖｓ以上の電子移動度を有する物質である。なお、正孔よりも電子の輸送性の高い物質であれば、上記以外の物質を電子輸送層として用いても構わない。また、電子輸送層は、単層のものだけでなく、上記物質からなる層が二層以上積層したものとしてもよい。
【０２５１】
また、電子注入層１９１５としては、フッ化リチウム（ＬｉＦ）、フッ化セシウム（ＣｓＦ）、フッ化カルシウム（ＣａＦ２）等のようなアルカリ金属化合物、又はアルカリ土類金属化合物を用いることができる。さらに、電子輸送性を有する物質とアルカリ金属又はアルカリ土類金属が組み合わされた層も使用できる。例えばＡｌｑ中にマグネシウム（Ｍｇ）を含有させたものを用いることができる。なお、第２の電極１９０４からの電子注入が効率良く起こるため、電子注入層として電子輸送性を有する物質とアルカリ金属又はアルカリ土類金属を組み合わせた層を用いると、より好ましい。
【０２５２】
なお、ＥＬ層１９０３は、層の積層構造については特に限定されず、電子輸送性の高い物質または正孔輸送性の高い物質、電子注入性の高い物質、正孔注入性の高い物質、バイポーラ性（電子及び正孔の輸送性の高い物質）の物質等を含む層と、発光層とを適宜組み合わせて構成すればよい。
【０２５３】
ＥＬ層１９０３で得られた発光は、第１の電極１９０２または第２の電極１９０４のいずれか一方または両方を通って外部に取り出される。従って、第１の電極１９０２または第２の電極１９０４のいずれか一方または両方は、透光性を有する電極である。第１の電極１９０２のみが透光性を有する電極である場合、光は第１の電極１９０２を通って基板１９０１側から取り出される。また、第２の電極１９０４のみが透光性を有する電極である場合、光は第２の電極１９０４を通って基板１９０１と逆側から取り出される。第１の電極１９０２および第２の電極１９０４がいずれも透光性を有する電極である場合、光は第１の電極１９０２および第２の電極１９０４を通って、基板１９０１側および基板１９０１と逆側の両方から取り出される。
【０２５４】
なお、図１９では、陽極として機能する第１の電極１９０２を基板１９０１側に設けた構成について示したが、陰極として機能する第２の電極１９０４を基板１９０１側に設けてもよい。
【０２５５】
また、ＥＬ層１９０３の形成方法としては、実施の形態１及び実施の形態２で示した成膜方法を用いればよい。特に発光層を塗り分ける際に、実施の形態１及び実施の形態２で示した成膜方法を用いることが好ましい。実施の形態１及び実施の形態２で示した成膜方法は、高精度なパターンを形成することができ、材料利用効率も高いため、発光素子の特性向上のみならず、生産性向上や製造コストの低減を図ることができる。
【０２５６】
また、本発明の一態様である発光装置の作製方法は、湿式法を用いて直接被成膜基板上にＥＬ層を形成する場合とは異なり、すでに形成された層の溶解性等を考慮する必要がないため、成膜する材料の種類の選択肢が広がる。また、積層する層の数についても自由に設定できる。よって、本発明の一態様である発光装置の作製方法を用いることにより、所望の材料を用いて、所望の積層構造の発光装置を作製することができる。特に、基板が大型化した場合において、用いる材料の種類や積層構造を自由に設計できるということは、発光装置の性能を向上させる点において、重要である。
【０２５７】
なお、本実施の形態に示す構成は、他の実施の形態に示す構成と適宜組み合わせて用いることができる。
【０２５８】
（実施の形態８）
本実施の形態では、実施の形態１から実施の形態６で説明した成膜方法を用いて形成される発光装置について説明する。
【０２５９】
まず、パッシブマトリクス型の発光装置について、図２０、図２１を用いて説明する。
【０２６０】
パッシブマトリクス型（単純マトリクス型ともいう）の発光装置は、ストライプ状（帯状）に並列された複数の陽極と、ストライプ状に並列された複数の陰極とが互いに直交するように設けられており、その交差部に発光層が挟まれた構造となっている。従って、選択された（電圧が印加された）陽極と選択された陰極との交点にあたる画素が点灯することになる。
【０２６１】
図２０（Ａ）は、封止前における画素部の上面図を示す図であり、図２０（Ａ）中の鎖線Ａ−Ａ’で切断した断面図が図２０（Ｂ）であり、鎖線Ｂ−Ｂ’で切断した断面図が図２０（Ｃ）である。
【０２６２】
基板１００１上には、下地絶縁層として絶縁層１００４を形成する。なお、下地絶縁層が必要でなければ特に形成しなくともよい。絶縁層１００４上には、ストライプ状に複数の第１の電極１０１３が等間隔で配置されている。また、第１の電極１０１３上には、各画素に対応する開口部を有する隔壁１０１４が設けられ、開口部を有する隔壁１０１４は絶縁材料（感光性または非感光性の有機材料（ポリイミド、アクリル、ポリアミド、ポリイミドアミド、レジストまたはベンゾシクロブテン）、またはＳＯＧ膜（例えば、アルキル基を含むＳｉＯｘ膜））で構成されている。なお、各画素に対応する開口部が発光領域１０２１となる。
【０２６３】
開口部を有する隔壁１０１４上に、第１の電極１０１３と交差する互いに平行な複数の逆テーパ状の隔壁１０２２が設けられる。逆テーパ状の隔壁１０２２はフォトリソグラフィ法に従い、未露光部分がパターンとしてポジ型感光性樹脂を用い、パターンの下部がより多くエッチングされるように露光量または現像時間を調節することによって形成する。
【０２６４】
開口部を有する隔壁１０１４及び逆テーパ状の隔壁１０２２を合わせた高さは、ＥＬ層及び第２の電極１０１６の膜厚より大きくなるように設定する。これにより、複数の領域に分離されたＥＬ層、具体的には赤色発光を示す材料で形成されたＥＬ層（Ｒ）（１０１５Ｒ）、緑色発光を示す材料で形成されたＥＬ層（Ｇ）（１０１５Ｇ）、青色発光を示す材料で形成されたＥＬ層（Ｂ）（１０１５Ｂ）と、第２の電極１０１６とが形成される。なお、複数に分離された領域は、それぞれ電気的に独立している。
【０２６５】
第２の電極１０１６は、第１の電極１０１３と交差する方向に伸長する互いに平行なストライプ状の電極である。なお、逆テーパ状の隔壁１０２２上にもＥＬ層及び第２の電極１０１６を形成する導電層の一部が形成されるが、ＥＬ層（Ｒ）（１０１５Ｒ）、ＥＬ層（Ｇ）（１０１５Ｇ）、ＥＬ層（Ｂ）（１０１５Ｂ）、及び第２の電極１０１６とは分断されている。なお、本実施の形態におけるＥＬ層は、少なくとも発光層を含む層であって、発光層の他に正孔注入層、正孔輸送層、電子輸送層、又は電子注入層等を含んでいてもよい。
【０２６６】
ここでは、ＥＬ層（Ｒ）（１０１５Ｒ）、ＥＬ層（Ｇ）（１０１５Ｇ）、ＥＬ層（Ｂ）（１０１５Ｂ）を選択的に形成し、３種類（赤（Ｒ）、青（Ｇ）、緑（Ｂ））の発光が得られるフルカラー表示可能な発光装置を形成する例を示している。なお、ＥＬ層（Ｒ）（１０１５Ｒ）、ＥＬ層（Ｇ）（１０１５Ｇ）、ＥＬ層（Ｂ）（１０１５Ｂ）は、それぞれ互いに平行なストライプパターンで形成されている。これらのＥＬ層を形成するには、上記実施の形態１から実施の形態６に示す成膜方法を適用すればよい。
【０２６７】
また、必要であれば、封止缶や封止のためのガラス基板などの封止材を用いて封止する。ここでは、封止基板としてガラス基板を用い、シール材などの接着材を用いて基板１００１と封止基板とを貼り合わせ、シール材などの接着材で囲まれた空間を密閉なものとしている。密閉された空間には、充填材や、乾燥した不活性ガスを充填する。また、発光装置の信頼性を向上させるために、基板と封止材との間に乾燥材などを封入してもよい。乾燥材によって微量な水分が除去され、十分乾燥される。また、乾燥材としては、酸化カルシウムや酸化バリウムなどのようなアルカリ土類金属の酸化物のような化学吸着によって水分を吸収する物質を用いることが可能である。なお、他の乾燥材として、ゼオライトやシリカゲル等の物理吸着によって水分を吸着する物質を用いてもよい。
【０２６８】
ただし、発光素子を覆って接する封止材が設けられ、十分に外気と遮断されている場合には、乾燥材は、特に設けなくともよい。
【０２６９】
次に、図２０に示したパッシブマトリクス型の発光装置にＦＰＣなどを実装した場合の上面図を図２１に示す。
【０２７０】
図２１において、画像表示を構成する画素部は、走査線群とデータ線群が互いに直交するように交差している。
【０２７１】
ここで、図２０における第１の電極１０１３が、図２１の走査線１１０３に相当し、図２０における第２の電極１０１６が、図２１のデータ線１１０２に相当し、逆テーパ状の隔壁１０２２が隔壁１１０４に相当する。データ線１１０２と走査線１１０３の間にはＥＬ層が挟まれており、領域１１０５で示される交差部が画素１つ分となる。
【０２７２】
なお、走査線１１０３は配線端で接続配線１１０８と電気的に接続され、接続配線１１０８が入力端子１１０７を介してＦＰＣ１１０９ｂに接続される。また、データ線１１０２は入力端子１１０６を介してＦＰＣ１１０９ａに接続される。
【０２７３】
また、必要であれば、射出面に偏光板、又は円偏光板（楕円偏光板を含む）、位相差板（λ／４板、λ／２板）、カラーフィルタなどの光学フィルムを適宜設けてもよい。また、偏光板又は円偏光板に反射防止膜を設けてもよい。例えば、表面の凹凸により反射光を拡散し、映り込みを低減できるアンチグレア処理を施すことができる。
【０２７４】
なお、図２１では、駆動回路を基板１１０１上に設けない例を示したが、本発明の一態様は特に限定されず、基板１１０１上に駆動回路を有するＩＣチップを実装させてもよい。
【０２７５】
また、ＩＣチップを実装させる場合、画素部の周辺（外側）の領域に、画素部へ各信号を伝送する駆動回路が形成されたデータ線側ＩＣ、走査線側ＩＣをＣＯＧ方式によりそれぞれ実装する。ＣＯＧ方式以外の実装技術としてＴＣＰやワイヤボンディング方式を用いて実装してもよい。ＴＣＰはＴＡＢテープにＩＣを実装したものであり、ＴＡＢテープを素子形成基板上の配線に接続してＩＣを実装する。データ線側ＩＣ、および走査線側ＩＣは、シリコン基板を用いたものであってもよいし、ガラス基板、石英基板もしくはプラスチック基板上にＴＦＴで駆動回路を形成したものであってもよい。また、片側に一つのＩＣを設けてもよいし、片側に複数個に分割して設けても構わない。
【０２７６】
次に、アクティブマトリクス型の発光装置の例について、図２２を用いて説明する。なお、図２２（Ａ）は発光装置を示す上面図であり、図２２（Ｂ）は図２２（Ａ）を鎖線Ａ−Ａ’で切断した断面図である。本実施の形態に係るアクティブマトリクス型の発光装置は、素子基板１２１０上に設けられた画素部１２０２と、駆動回路部（ソース側駆動回路）１２０１と、駆動回路部（ゲート側駆動回路）１２０３と、を有する。画素部１２０２、駆動回路部（ソース側駆動回路）１２０１、及び駆動回路部（ゲート側駆動回路）１２０３は、シール材１２０５によって、素子基板１２１０と封止基板１２０４との間に封止されている。
【０２７７】
また、素子基板１２１０上には、駆動回路部（ソース側駆動回路）１２０１、及び駆動回路部（ゲート側駆動回路）１２０３に外部からの信号（例えば、ビデオ信号、クロック信号、スタート信号、又はリセット信号等）や電位を伝達する外部入力端子を接続するための引き回し配線１２０８が設けられる。ここでは、外部入力端子としてＦＰＣ１２０９を設ける例を示している。なお、ここではＦＰＣしか図示されていないが、このＦＰＣにはプリント配線基板（ＰＷＢ）が取り付けられていても良い。本明細書における発光装置には、発光装置本体だけでなく、それにＦＰＣもしくはＰＷＢが取り付けられた状態をも含むものとする。
【０２７８】
次に、断面構造について図２２（Ｂ）を用いて説明する。素子基板１２１０上には駆動回路部及び画素部が形成されているが、ここでは、駆動回路部（ソース側駆動回路）１２０１と、画素部１２０２が示されている。
【０２７９】
駆動回路部（ソース側駆動回路）１２０１はｎチャネル型ＴＦＴ１２２３とｐチャネル型ＴＦＴ１２２４とを組み合わせたＣＭＯＳ回路が形成される例を示している。なお、駆動回路部を形成する回路は、種々のＣＭＯＳ回路、ＰＭＯＳ回路もしくはＮＭＯＳ回路で形成しても良い。また、本実施の形態では、基板上に駆動回路を形成したドライバー一体型を示すが、必ずしもその必要はなく、基板上ではなく外部に駆動回路を形成することもできる。
【０２８０】
また、画素部１２０２はスイッチング用ＴＦＴ１２１１と、電流制御用ＴＦＴ１２１２と電流制御用ＴＦＴ１２１２の配線（ソース電極又はドレイン電極）に電気的に接続された第１の電極１２１３とを含む複数の画素により形成される。なお、第１の電極１２１３の端部を覆って絶縁物１２１４が形成されている。ここでは、ポジ型の感光性アクリル樹脂を用いることにより形成する。
【０２８１】
また、上層に積層形成される膜の被覆性を良好なものとするため、絶縁物１２１４の上端部または下端部に曲率を有する曲面を形成すると好ましい。例えば、絶縁物１２１４の材料としてポジ型の感光性アクリル樹脂を用いた場合、絶縁物１２１４の上端部に曲率半径（０．２μｍ〜３μｍ）を有する曲面を持たせると好ましい。また、絶縁物１２１４として、光によってエッチャントに不溶解性となるネガ型、或いは光によってエッチャントに溶解性となるポジ型のいずれも使用することができ、有機化合物に限らず無機化合物、例えば、酸化シリコン、酸窒化シリコン等、の両者を使用することができる。
【０２８２】
第１の電極１２１３上には、ＥＬ層１２００及び第２の電極１２１６が積層形成されている。なお、第１の電極１２１３を酸化インジウム−酸化スズ（ＩＴＯ：Ｉｎｄｉｕｍ  Ｔｉｎ  Ｏｘｉｄｅ）膜とし、第１の電極１２１３と接続する電流制御用ＴＦＴ１２１２の配線として窒化チタン膜とアルミニウムを主成分とする膜との積層膜、或いは窒化チタン膜、アルミニウムを主成分とする膜、窒化チタン膜との積層膜を適用すると、配線としての抵抗も低く、ＩＴＯ膜との良好なオーミックコンタクトがとれる。なお、ここでは図示しないが、第２の電極１２１６は外部入力端子であるＦＰＣ１２０９に電気的に接続されている。
【０２８３】
ＥＬ層１２００は、少なくとも発光層が設けられており、発光層の他に正孔注入層、正孔輸送層、電子輸送層又は電子注入層を適宜設ける構成とする。第１の電極１２１３、ＥＬ層１２００及び第２の電極１２１６との積層構造で、発光素子１２１５が形成されている。
【０２８４】
また、図２２（Ｂ）に示す断面図では発光素子１２１５を１つのみ図示しているが、画素部１２０２において、複数の発光素子がマトリクス状に配置されているものとする。画素部１２０２には、３種類（Ｒ、Ｇ、Ｂ）の発光が得られる発光素子をそれぞれ選択的に形成し、フルカラー表示可能な発光装置を形成することができる。また、カラーフィルタと組み合わせることによってフルカラー表示可能な発光装置としてもよい。
【０２８５】
さらにシール材１２０５で封止基板１２０４を素子基板１２１０と貼り合わせることにより、素子基板１２１０、封止基板１２０４、およびシール材１２０５で囲まれた空間１２０７に発光素子１２１５が備えられた構造になっている。なお、空間１２０７には、不活性気体（窒素やアルゴン等）が充填される場合の他、シール材１２０５で充填される構成も含むものとする。
【０２８６】
なお、シール材１２０５にはエポキシ系樹脂を用いるのが好ましい。また、これらの材料はできるだけ水分や酸素を透過しない材料であることが望ましい。また、封止基板１２０４に用いる材料としてガラス基板や石英基板の他、ＦＲＰ（Ｆｉｂｅｒｇｌａｓｓ−Ｒｅｉｎｆｏｒｃｅｄ  Ｐｌａｓｔｉｃｓ）、ＰＶＦ（ポリビニルフロライド）、ポリエステルまたはアクリル等からなるプラスチック基板を用いることができる。
【０２８７】
以上のようにして、本発明の一態様を適用して発光装置を得ることができる。アクティブマトリクス型の発光装置は、ＴＦＴを必要とするため、１枚あたりの製造コストが高くなりやすい。しかしながら、本発明の一態様を適用することで、発光装置を形成する際の材料のロスを大幅に低減させることが可能である。よって、総合的には製造コストの低減を図ることができる。
【０２８８】
本発明の一態様に係る発光装置の作製方法は、被成膜基板が大型であっても、所望の領域のみに成膜することが可能であるため、微細パターンの形成が可能となり、高精細な発光装置を作製することができる。
【０２８９】
また、本発明の一態様である発光装置の作製方法は、成膜用基板をあらかじめ用意しておき、成膜用基板を入れ替えることによって、被成膜基板に次々と成膜することができる。よって、発光装置の製造に要する時間（タクトタイム）を短くし、生産性を向上させることができる。
【０２９０】
また、一度成膜に用いた成膜用基板は、材料層を除去し、再度新しい材料層を形成することにより、複数回使用することができる。よって、発光装置の作製におけるコストを削減することができる。
【０２９１】
また、本発明の一態様である発光装置の作製方法は、湿式法を用いて直接被成膜基板上にＥＬ層を形成する場合とは異なり、すでに形成された層の溶解性等を考慮する必要がないため、成膜する材料の種類の選択肢が広がる。また、積層する層の数についても自由に設定できる。よって、本発明の一態様である発光装置の作製方法を用いることにより、所望の材料を用いて、所望の積層構造の発光装置を作製することができる。特に、基板が大型化した場合において、用いる材料の種類や積層構造を自由に設計できるということは、発光装置の性能を向上させる点において、重要である。
【０２９２】
また、本発明の一態様である発光装置の作製方法を用いることにより、膜厚モニターを利用した成膜速度の調節を使用者が行う必要がなく、成膜工程を全自動化することが可能である。そのため、生産性の向上を図ることができる。
【０２９３】
なお、本実施の形態に示す構成は、他の実施の形態に示す構成と適宜組み合わせて用いることができる。
【０２９４】
（実施の形態９）
本実施の形態では、本発明の一態様を適用して作製した発光装置を用いて完成させた様々な電子機器について、図２３を用いて説明する。
【０２９５】
本発明の一態様に係る発光装置を適用した電子機器として、テレビジョン、ビデオカメラ、デジタルカメラなどのカメラ、ゴーグル型ディスプレイ（ヘッドマウントディスプレイ）、ナビゲーションシステム、音響再生装置（カーオーディオ、オーディオコンポ等）、ノート型コンピュータ、ゲーム機器、携帯情報端末（モバイルコンピュータ、携帯電話、携帯型ゲーム機または電子書籍等）、記録媒体を備えた画像再生装置（具体的にはデジタルビデオディスク（ＤＶＤ）等の記録媒体を再生し、その画像を表示しうる表示装置を備えた装置）、照明器具などが挙げられる。これらの電子機器の具体例を図２３に示す。
【０２９６】
図２３（Ａ）は表示装置であり、筐体８００１、支持台８００２、表示部８００３、スピーカー部８００４、ビデオ入力端子８００５等を含む。本発明の一態様を用いて形成される発光装置をその表示部８００３に用いることにより作製される。なお、表示装置は、コンピュータ用、ＴＶ放送受信用、広告表示用などの全ての情報表示用装置が含まれる。本発明の一態様を適用することで、主に発光装置の成膜工程における材料の利用効率向上、および製造効率向上を図ることができるので、表示装置の製造における製造コストの低減、および生産性の向上を図ることができ、安価な表示装置を提供することができる。
【０２９７】
図２３（Ｂ）はコンピュータであり、本体８１０１、筐体８１０２、表示部８１０３、キーボード８１０４、外部接続ポート８１０５、ポインティングデバイス８１０６等を含む。なお、コンピュータは、本発明の一態様を用いて形成される発光装置をその表示部８１０３に用いることにより作製される。本発明の一態様を適用することで、主に発光装置の成膜工程における材料の利用効率向上、および製造効率向上を図ることができるので、コンピュータの製造における製造コストの低減、および生産性の向上を図ることができ、安価なコンピュータを提供することができる。
【０２９８】
図２３（Ｃ）はビデオカメラであり、本体８２０１、表示部８２０２、筐体８２０３、外部接続ポート８２０４、リモコン受信部８２０５、受像部８２０６、バッテリー８２０７、音声入力部８２０８、操作キー８２０９、接眼部８２１０等を含む。なお、ビデオカメラは、本発明の一態様を用いて形成される発光装置をその表示部８２０２に用いることにより作製される。本発明の一態様を適用することで、主に発光装置の成膜工程における材料の利用効率向上、および製造効率向上を図ることができるので、ビデオカメラの製造における製造コストの低減、および生産性の向上を図ることができ、安価なビデオカメラを提供することができる。
【０２９９】
図２３（Ｄ）は卓上照明器具であり、照明部８３０１、傘８３０２、可変アーム８３０３、支柱８３０４、台８３０５、電源８３０６を含む。なお、卓上照明器具は、本発明の一態様を用いて形成される発光装置を照明部８３０１に用いることにより作製される。なお、照明器具には天井固定型の照明器具または壁掛け型の照明器具なども含まれる。本発明の一態様を適用することで、主に発光装置の成膜工程における材料の利用効率向上、および製造効率向上を図ることができるので、卓上照明器具の製造における製造コストの低減、および生産性の向上を図ることができ、安価な卓上照明器具を提供することができる。
【０３００】
ここで、図２３（Ｅ）は携帯電話であり、本体８４０１、筐体８４０２、表示部８４０３、音声入力部８４０４、音声出力部８４０５、操作キー８４０６、外部接続ポート８４０７、アンテナ８４０８等を含む。なお、携帯電話は、本発明の一態様を用いて形成される発光装置をその表示部８４０３に用いることにより作製される。本発明の一態様を適用することで、主に発光装置の成膜工程における材料の利用効率向上、および製造効率向上を図ることができるので、携帯電話の製造における製造コストの低減、および生産性の向上を図ることができ、安価な携帯電話を提供することができる。
【０３０１】
また、図２４も携帯電話であり、図２４（Ａ）が正面図、図２４（Ｂ）が背面図、図２４（Ｃ）が展開図である。携帯電話は、電話と携帯情報端末の双方の機能を備えており、コンピュータを内蔵し、音声通話以外にも様々なデータ処理が可能な所謂スマートフォンである。
【０３０２】
本体は、筐体１４０１及び筐体１４０２の二つの筐体で構成されている。筐体１４０１には、表示部１４０４、スピーカー１４０５、マイクロフォン１４０６、操作キー１４０７、ポインティングデバイス１４０８、カメラ用レンズ１４０９、外部接続端子１４１０等を備え、筐体１４０２には、イヤホン端子１４１１、キーボード１４１２、外部メモリスロット１４１３、カメラ用レンズ１４１４、ライト１４１５等を備えている。また、アンテナは筐体１４０１内部に内蔵されている。
【０３０３】
また、上記構成に加えて、非接触ＩＣチップ、小型記録装置等を内蔵していてもよい。
【０３０４】
表示部１４０４には、上記実施例に示される表示装置を組み込むことが可能であり、使用形態に応じて表示の方向が適宜変化する。表示部１４０４と同一面上にカメラ用レンズ１４０９を備えているため、テレビ電話が可能である。また、表示部１４０４をファインダーとし、カメラ用レンズ１４１４及びライト１４１５で静止画及び動画の撮影が可能である。スピーカー１４０５、及びマイクロフォン１４０６は音声通話に限らず、テレビ電話、録音、再生等が可能である。
【０３０５】
操作キー１４０７では、電話の発着信、電子メール等の簡単な情報入力、画面のスクロール、カーソル移動等が可能である。更に、重なり合った筐体１４０１、１４０２（図２４（Ａ））は、スライドし、図２４（Ｃ）のように展開し、携帯情報端末として使用できる。この場合、キーボード１４１２、ポインティングデバイス１４０８を用い円滑な操作が可能である。外部接続端子１４１０はＡＣアダプタ及びＵＳＢケーブル等の各種ケーブルと接続可能であり、充電及びコンピュータ等とのデータ通信が可能である。また、外部メモリスロット１４１３に記録媒体を挿入しより大量のデータ保存及び移動に対応できる。
【０３０６】
また、上記機能に加えて、赤外線通信機能、テレビ受信機能等を備えたものであってもよい。
【０３０７】
なお、上述した携帯電話は、本発明の一態様を用いて形成される発光装置をその表示部１４０４に用いることにより作製される。本発明の一態様を適用することで、主に発光装置の成膜工程における材料の利用効率向上、および製造効率向上を図ることができるので、携帯電話の製造における製造コストの低減、および生産性の向上を図ることができ、安価な携帯電話を提供することができる。
【０３０８】
以上のようにして、本発明の一態様に係る発光装置を適用して電子機器や照明器具を得ることができる。本発明の一態様に係る発光装置の適用範囲は極めて広く、あらゆる分野の電子機器に適用することが可能である。
【０３０９】
なお、本実施の形態に示す構成は、他の実施の形態に示す構成と適宜組み合わせて用いることができる。
【符号の説明】
【０３１０】
１０    成膜室
１２    基板ステージ
１４    光導入窓
１５    混合物
１６    蒸発源
１８    排気口
２２    光源
２３    光学系
２４    ビームエキスパンダ
２６    ビームホモジナイザ
３１    基板チャック
３６    凹シリンドリカルレンズ
３８    凸シリンドリカルレンズ
４０    シリンドリカルレンズアレイ
４２    凸シリンドリカルレンズ
４４    可動ミラー
４８    ランプ光源
１０１    基板
１０２    反射層
１０３    緩和層
１０４    光吸収層
１０５    材料層
１０６    開口部
１０７    基板
１０８    第１の電極
１０９    絶縁物
１１０    光
１１１    ＥＬ層
１１２    緩和層
１１３    第２の電極
１２０    窓
２１１    正孔注入層
２１２    正孔輸送層
２１３Ａ    発光層
２１３Ｂ    発光層
２１３Ｃ    発光層
２１４    電子輸送層
２１５    電子注入層
４０１    反射層
４０２    開口部
４１１    ＥＬ層（Ｒ）
４１２    ＥＬ層（Ｇ）
４１３    ＥＬ層（Ｂ）
４１４    絶縁物
５０１    反射層
５０２    開口部
５１１    ＥＬ層（Ｒ）
５１２    ＥＬ層（Ｇ）
５１３    ＥＬ層（Ｂ）
８０１    成膜室
８０２    ゲート弁
８０３    ゲート弁
８０４    基板支持手段
８０５    基板支持手段
８０７    基板
８０８    材料層
８０９    基板
８１０    光源
８１０      光源
８１１    チューブ
９０１    成膜室
９０２    ゲート弁
９０３    ゲート弁
９０４    基板支持手段
９０５    基板支持手段
９０７    基板
９０８    材料層
９０９    基板
９１０    光源
９５１    成膜室
９５４    基板支持手段
９５５    基板支持手段
９５７    基板
９５８    材料層
９５９    基板
９６０    光源
１００１    基板
１００４    絶縁層
１０１３    第１の電極
１０１４    隔壁
１０１６    第２の電極
１０２１    発光領域
１０２２    隔壁
１１０１    基板
１１０２    データ線
１１０３    走査線
１１０４    隔壁
１１０５    領域
１１０６    入力端子
１１０７    入力端子
１１０８    接続配線
１１０９ａ    ＦＰＣ
１１０９ｂ    ＦＰＣ
１２００    ＥＬ層
１２０１    駆動回路部（ソース側駆動回路）
１２０２    画素部
１２０３    駆動回路部（ゲート側駆動回路）
１２０４    封止基板
１２０５    シール材
１２０７    空間
１２０８    配線
１２０９    ＦＰＣ
１２１０    素子基板
１２１１    スイッチング用ＴＦＴ
１２１２    電流制御用ＴＦＴ
１２１３    第１の電極
１２１４    絶縁物
１２１５    発光素子
１２１６    第２の電極
１２２３    ｎチャネル型ＴＦＴ
１２２４    ｐチャネル型ＴＦＴ
１４０１    筐体
１４０２    筐体
１４０４    表示部
１４０５    スピーカー
１４０６    マイクロフォン
１４０７    操作キー
１４０８    ポインティングデバイス
１４０９    カメラ用レンズ
１４１０    外部接続端子
１４１１    イヤホン端子
１４１２    キーボード
１４１３    外部メモリスロット
１４１４    カメラ用レンズ
１４１５    ライト
１８００    基板
１８０１    基板
１８０３    レーザ発振装置
１８０４    第１の光学系
１８０５    第２の光学系
１８０６    第３の光学系
１８０７    反射ミラー
１８０８    撮像素子
１８０９    基板ステージ
１８１２    位置マーカ
１８１４    開口部
１８１５    材料層
１８１６    制御装置
１８２０    窓
１９０１    基板
１９０２    第１の電極
１９０３    ＥＬ層
１９０４    第２の電極
１９１１    正孔注入層
１９１２    正孔輸送層
１９１３    発光層
１９１４    電子輸送層
１９１５    電子注入層
８００１    筐体
８００２    支持台
８００３    表示部
８００４    スピーカー部
８００５    ビデオ入力端子
８１０１    本体
８１０２    筐体
８１０３    表示部
８１０４    キーボード
８１０５    外部接続ポート
８１０６    ポインティングデバイス
８２０１    本体
８２０２    表示部
８２０３    筐体
８２０４    外部接続ポート
８２０５    リモコン受信部
８２０６    受像部
８２０７    バッテリー
８２０８    音声入力部
８２０９    操作キー
８２１０    接眼部
８３０１    照明部
８３０２    傘
８３０３    可変アーム
８３０４    支柱
８３０５    台
８３０６    電源
８４０１    本体
８４０２    筐体
８４０３    表示部
８４０４    音声入力部
８４０５    音声出力部
８４０６    操作キー
８４０７    外部接続ポート
８４０８    アンテナ
【図１】
2010062143.tif 000003
【図２】
2010062143.tif 000004
【図３】
2010062143.tif 000005
【図４】
2010062143.tif 000006
【図５】
2010062143.tif 000007
【図６】
2010062143.tif 000008
【図７】
2010062143.tif 000009
【図８】
2010062143.tif 000010
【図９】
2010062143.tif 000011
【図１０】
2010062143.tif 000012
【図１１】
2010062143.tif 000013
【図１２】
2010062143.tif 000014
【図１３】
2010062143.tif 000015
【図１４】
2010062143.tif 000016
【図１５】
2010062143.tif 000017
【図１６】
2010062143.tif 000018
【図１７】
2010062143.tif 000019
【図１８】
2010062143.tif 000020
【図１９】
2010062143.tif 000021
【図２０】
2010062143.tif 000022
【図２１】
2010062143.tif 000023
【図２２】
2010062143.tif 000024
【図２３】
2010062143.tif 000025
【図２４】
2010062143.tif 000026